(57)【特許請求の範囲】
【請求項１】
基板に処理を行う基板処理装置であって、
予め設定された基準位置を有し、基板を支持可能に構成される基板支持部と、
基板を保持するように構成されるとともに予め定められた進退基準位置と他の位置との間で直線状に前進および後退可能に設けられた第１の保持部を有し、前記第１の保持部を移動させることにより基板を搬送する第１の搬送装置と、
前記第１の保持部により保持された基板と前記第１の保持部との位置関係を検出する位置検出部と、
前記第１の保持部を移動させて前記基板支持部に基板を渡しまたは前記基板支持部から基板を受け取るように前記第１の搬送装置を制御する制御部とを備え、
前記位置検出部は、前記第１の保持部が前記進退基準位置と前記他の位置との間で前進または後退する際に前記第１の保持部により保持される基板の外周部の複数の部分をそれぞれ検出するように設けられた複数の検出器を含み、前記複数の検出器の各々による検出のタイミングに基づいて前記第１の保持部により保持された基板と前記第１の保持部との位置関係を検出し、
前記制御部は、前記第１の搬送装置に関する教示動作時に、前記第１の保持部を前記基板支持部の目標位置に移動させて前記基板支持部の前記基準位置で支持された基板を受け取るように前記第１の搬送装置を制御し、前記位置検出部により検出される位置関係に基づいて前記目標位置と前記基準位置とのずれを補正情報として取得し、前記教示動作時または基板処理時に、前記取得された補正情報に基づいて前記目標位置が前記基準位置に一致するように前記目標位置を補正し、基板処理時に、前記第１の保持部を前記補正された目標位置に移動させるように前記第１の搬送装置を制御する、基板処理装置。
【請求項２】
前記基板支持部は、基板を前記基準位置に導く案内機構を含み、
前記教示動作時に、前記案内機構により基板が前記基板支持部の前記基準位置に導かれる、請求項１記載の基板処理装置。
【請求項３】
基板を収納する収納容器をさらに備え、
前記収納容器は、前記基板支持部を含み、基板を前記案内機構により前記基準位置に収納するように構成され、
前記目標位置は、前記収納容器内に設定され、
前記制御部は、前記教示動作時に、前記第１の保持部を前記収納容器内の前記目標位置に移動させて前記収納容器内の前記基準位置に収納された基板を受け取るように前記第１の搬送装置を制御する、請求項２記載の基板処理装置。
【請求項４】
基板に処理を行う処理ユニットをさらに備え、
前記処理ユニットは前記基板支持部を含み、
前記目標位置は、前記処理ユニット内に設定され、
前記制御部は、前記教示動作時に、前記第１の保持部を前記処理ユニット内の前記目標位置に移動させて前記処理ユニット内において前記案内機構により前記基準位置で支持された基板を受け取るように前記第１の搬送装置を制御する、請求項２記載の基板処理装置。
【請求項５】
前記基板支持部を含み、基板が一時的に載置される基板載置部と、
基板を保持するように構成された第２の保持部を有し、前記第２の保持部を移動させることにより基板を搬送する第２の搬送装置とをさらに備え、
前記目標位置は、前記基板載置部上に設定され、
前記制御部は、前記教示動作時に、前記第２の保持部を前記基板載置部の前記基板支持部に移動させて前記基板支持部に基板を載置するように前記第２の搬送装置を制御し、前記基板支持部に載置される基板の位置を前記基準位置とみなし、前記第１の保持部を前記基板載置部上の前記目標位置に移動させて前記基板支持部に載置された基板を受け取るように前記第１の搬送装置を制御する、請求項１記載の基板処理装置。
【請求項６】
基板を保持するように構成された第２の保持部を前記基板支持部として有し、前記第２の保持部を移動させることにより基板を搬送する第２の搬送装置をさらに備え、
前記目標位置は、前記第１の搬送装置と前記第２の搬送装置との間での基板の受け渡し時の前記第２の保持部に設定され、
前記制御部は、前記教示動作時に、前記第２の保持部に保持される基板の位置を前記基準位置とみなし、前記第１の保持部を前記第２の保持部の前記目標位置に移動させて前記第２の保持部から基板を受け取るように前記第１の搬送装置を制御する、請求項１記載の基板処理装置。
【請求項７】
基板に処理を行う基板処理装置であって、
予め設定された基準位置を有し、基板を水平姿勢で保持して前記基準位置の周りで回転可能に構成される基板支持部と、
基板を保持するように構成されるとともに予め定められた進退基準位置と他の位置との間で直線状に前進および後退可能に設けられた第１の保持部を有し、前記第１の保持部を移動させることにより基板を搬送する第１の搬送装置と、
前記第１の保持部により保持された基板と前記第１の保持部との位置関係を検出する位置検出部と、
前記第１の保持部を移動させて前記基板支持部に基板を渡しまたは前記基板支持部から基板を受け取るように前記第１の搬送装置を制御する制御部とを備え、
前記位置検出部は、前記第１の保持部が前記進退基準位置と前記他の位置との間で前進または後退する際に前記第１の保持部により保持される基板の外周部の複数の部分をそれぞれ検出するように設けられた複数の検出器を含み、前記複数の検出器の各々による検出のタイミングに基づいて前記第１の保持部により保持された基板と前記第１の保持部との位置関係を検出し、
前記制御部は、前記第１の搬送装置に関する教示動作時に、前記第１の保持部を前記基板支持部の目標位置に移動させて前記基板支持部に基板を渡すように前記第１の搬送装置を制御し、前記基板支持部により支持された基板が所定の角度だけ回転されるように前記基板支持部を制御し、前記第１の保持部を前記基板支持部の前記目標位置に移動させて前記基板支持部により支持された基板を受け取るように前記第１の搬送装置を制御し、前記基板支持部へ基板を渡す前における前記第１の保持部と基板との位置関係および前記基板支持部から基板を受け取った後において前記位置検出部により検出された位置関係に基づいて前記目標位置と前記基準位置とのずれを補正情報として取得し、前記教示動作時または基板処理時に、前記取得された補正情報に基づいて前記目標位置が前記基準位置に一致するように前記目標位置を補正し、基板処理時に、前記第１の保持部を前記補正された目標位置に移動させるように前記第１の搬送装置を制御する、基板処理装置。
【請求項８】
前記所定の角度は１８０度である、請求項７記載の基板処理装置。
【請求項９】
前記第１の保持部が基板の下面を保持したことを検出する保持検出部をさらに備え、
前記制御部は、前記教示動作時に、前記第１の保持部を前記基板支持部により基準高さで支持された基板の下方から上昇させるように前記第１の搬送装置を制御し、前記保持検出部による検出時点における前記第１の保持部の垂直方向の位置に基づいて垂直方向における目標高さを決定し、基板処理時における前記基板支持部への前記第１の保持部の移動の際に、前記第１の保持部を前記決定された目標高さに移動させるように前記第１の搬送装置を制御する、請求項１〜８のいずれか一項に記載の基板処理装置。
【請求項１０】
前記第１の搬送装置は、前記第１の保持部を複数有し、
前記制御部は、前記教示動作時に、前記基板支持部を介して一の第１の保持部と他の第１の保持部との間で基板が搬送されるように前記第１の搬送装置を制御し、前記一の第１の保持部と基板との位置関係、前記他の第１の保持部と基板との位置関係および前記一の第１の保持部に対応する補正情報に基づいて、前記他の第１の保持部に対応する目標位置と前記基準位置とのずれを前記他の第１の保持部に対応する補正情報として取得し、前記教示動作時または基板処理時に、前記取得された前記他の第１の保持部に対応する補正情報に基づいて前記他の第１の保持部に対応する前記目標位置が前記基準位置に一致するように前記他の第１の保持部に対応する前記目標位置を補正し、基板処理時に、前記他の第１の保持部を前記補正された前記他の第１の保持部に対応する目標位置に移動させるように前記第１の搬送装置を制御する、請求項１〜９のいずれか一項に記載の基板処理装置。
【請求項１１】
基板に処理を行う基板処理装置であって、
基板を支持可能に構成される基板支持部と、
基板を保持するように構成された保持部を有し、前記保持部を移動させることにより基板を搬送する搬送装置と、
前記保持部が基板の下面を保持したことを検出する保持検出部と、
前記保持部の位置を常時検出するエンコーダと、
前記保持部を移動させて前記基板支持部に基板を渡しまたは前記基板支持部から基板を受け取るように前記搬送装置を制御する制御部とを備え、
前記保持部は、基板の下面を吸着する複数の吸着部を含み、
前記保持検出部は、前記複数の吸着部が基板を吸着している場合に前記保持部が基板の下面を保持したと判定し、前記複数の吸着部のいずれかが基板を吸着していない場合に前記保持部が基板の下面を保持していないと判定し、
前記制御部は、前記搬送装置に関する教示動作時に、前記保持部を前記基板支持部により基準高さで支持された基板の下方から上昇させるように前記搬送装置を制御し、前記エンコーダにより常時検出される位置のうち前記保持検出部により前記保持部が基板の下面を保持したと判定された時点における前記保持部の垂直方向の位置に基づいて垂直方向における目標高さを決定し、基板処理時における前記基板支持部への前記保持部の移動の際に、前記保持部を前記決定された目標高さに移動させるように前記搬送装置を制御する、基板処理装置。
【請求項１２】
基板に処理を行う基板処理方法であって、
第１の搬送装置に関する教示動作時に、前記第１の搬送装置の第１の保持部を基板支持部の目標位置に移動させて基板支持部の基準位置で支持された基板を受け取るステップと、
前記第１の保持部を予め定められた進退基準位置と他の位置との間で直線状に前進または後退させるステップと、
前記第１の保持部が前記進退基準位置と前記他の位置との間で前進または後退する際に前記第１の保持部により保持される基板の外周部の複数の部分を複数の検出器によりそれぞれ検出するステップと、
前記複数の検出器の各々による検出のタイミングに基づいて前記第１の保持部により保持された基板と前記第１の保持部との位置関係を検出するステップと、
検出された位置関係に基づいて前記目標位置と前記基準位置とのずれを補正情報として取得するステップと、
前記教示動作時または基板処理時に、前記取得された補正情報に基づいて前記目標位置が前記基準位置に一致するように前記目標位置を補正するステップと、
前記基板処理時に、前記第１の保持部を前記補正された目標位置に移動させることにより、前記基板支持部に基板を渡しまたは前記基板支持部から基板を受け取るステップとを含む、基板処理方法。
【請求項１３】
基板に処理を行う基板処理方法であって、
第１の搬送装置に関する教示動作時に、基板を保持する前記第１の搬送装置の第１の保持部を予め定められた進退基準位置と他の位置との間で直線状に前進または後退させるステップと、
前記第１の保持部が前記進退基準位置と前記他の位置との間で前進または後退する際に前記第１の保持部により保持される基板の外周部の複数の部分を複数の検出器によりそれぞれ検出するステップと、
前記複数の検出器の各々による検出のタイミングに基づいて前記第１の搬送装置の第１の保持部により保持された基板と前記第１の保持部との位置関係を検出するステップと、
前記第１の保持部を基板支持部の目標位置に移動させて前記基板支持部に基板を渡すステップと、
前記基板支持部により水平姿勢で支持された基板を基準位置の周りで所定の角度だけ回転させるステップと、
前記第１の保持部を前記基板支持部の前記目標位置に移動させて前記基板支持部により支持された基板を受け取るステップと、
前記基板支持部から受け取った基板を保持する前記第１の保持部を前記進退基準位置と前記他の位置との間で直線状に前進または後退させるステップと、
前記第１の保持部が前記進退基準位置と前記他の位置との間で前進または後退する際に前記第１の保持部により保持される基板の外周部の複数の部分を前記複数の検出器によりそれぞれ検出するステップと、
前記複数の検出器の各々による検出のタイミングに基づいて前記第１の保持部により保持された基板と前記第１の保持部との位置関係を検出するステップと、
前記基板支持部へ基板を渡す前における前記第１の保持部と基板との位置関係および前記基板支持部から基板を受け取った後における位置関係に基づいて前記目標位置と前記基準位置とのずれを補正情報として取得するステップと、
前記教示動作時または基板処理時に、前記取得された補正情報に基づいて前記目標位置が前記基準位置に一致するように前記目標位置を補正するステップと、
前記基板処理時に、前記第１の保持部を前記補正された目標位置に移動させることにより、前記基板支持部に基板を渡しまたは前記基板支持部から基板を受け取るステップとを含む、基板処理方法。
【請求項１４】
基板に処理を行う基板処理方法であって、
搬送装置に関する教示動作時に、前記搬送装置の保持部を基板支持部により基準高さで支持された基板の下方から上昇させるステップと、
前記保持部の位置をエンコーダにより常時検出するステップと、
前記保持部が基板の下面を保持したことを保持検出部により検出するステップと、
前記エンコーダにより常時検出される位置のうち前記保持検出部により前記保持部が基板の下面を保持したと判定された時点における前記保持部の垂直方向の位置に基づいて垂直方向における目標高さを決定するステップと、
基板処理時における前記基板支持部への前記保持部の移動の際に、前記保持部を前記決定された目標高さに移動させることにより、前記基板支持部に基板を渡しまたは前記基板支持部から基板を受け取るステップとを含み、
前記保持部は、基板の下面を吸着する複数の吸着部を含み、
前記保持検出部により検出するステップは、前記複数の吸着部が基板を吸着している場合に前記保持部が基板の下面を保持したと判定し、前記複数の吸着部のいずれかが基板を吸着していない場合に前記保持部が基板の下面を保持していないと判定することを含む、基板処理方法。
【発明の詳細な説明】
【技術分野】
【０００１】
本発明は、基板処理装置および基板処理方法に関する。
【背景技術】
【０００２】
半導体基板、液晶表示装置用基板、プラズマディスプレイ用基板、光ディスク用基板、磁気ディスク用基板、光磁気ディスク用基板またはフォトマスク用基板等の各種基板に種々の処理を行うために、基板処理装置が用いられている。このような基板処理装置においては、複数の基板が搬送装置により処理部の所定の基板支持部に順次搬送される。処理部は、基板支持部に搬送された基板に所定の処理を行う。基板の処理精度を向上させるために、基板の中心が基板支持部の所望の位置に正確に一致した状態で基板が基板支持部に載置されることが望まれる。基板処理装置の設置時またはメンテナンス時に搬送装置に関するティーチング（教示）が行われることにより、基板が支持されるべき基板支持部の位置と実際に基板が支持される位置とのずれが解消される。
【０００３】
特許文献１に記載された基板処理装置においては、ティーチング時に、光センサを備える治具が搬送装置のアームに保持される。ここで、基板支持部には、３本のピンが形成されている。アームに保持された治具は、３本のピンに対して所定の相対的位置関係になるまで近接される。この状態で、アームが所定の複数の方向に移動されることにより、３本のピンのうち２本のピンの位置が治具の光センサにより位置情報として検出される。検出された位置情報に基づいて、アームがアクセスする基板支持部の位置が設定される。
【先行技術文献】
【特許文献】
【０００４】
【特許文献１】特開平１１−１６３０８３号公報
【発明の概要】
【発明が解決しようとする課題】
【０００５】
特許文献１のように、ティーチングに専用の治具を用いることにより、ティーチングのための作業者の負担が低減される。しかしながら、治具の維持管理のための作業者の負担が増加する。また、治具の購入のためのコストが増加するとともに、治具の維持管理に伴うコストが増加する。
【０００６】
本発明の目的は、作業者の負担を低減しつつ低コストで搬送装置に関する教示を行うことが可能な基板処理装置および基板処理方法を提供することである。
【課題を解決するための手段】
【０００７】
（１）第１の発明に係る基板処理装置は、基板に処理を行う基板処理装置であって、予め設定された基準位置を有し、基板を支持可能に構成される基板支持部と、基板を保持するように構成されるとともに予め定められた進退基準位置と他の位置との間で直線状に前進および後退可能に設けられた第１の保持部を有し、第１の保持部を移動させることにより基板を搬送する第１の搬送装置と、第１の保持部により保持された基板と第１の保持部との位置関係を検出する位置検出部と、第１の保持部を移動させて基板支持部に基板を渡しまたは基板支持部から基板を受け取るように第１の搬送装置を制御する制御部とを備え、位置検出部は、第１の保持部が進退基準位置と他の位置との間で前進または後退する際に第１の保持部により保持される基板の外周部の複数の部分をそれぞれ検出するように設けられた複数の検出器を含み、複数の検出器の各々による検出のタイミングに基づいて第１の保持部により保持された基板と第１の保持部との位置関係を検出し、制御部は、第１の搬送装置に関する教示動作時に、第１の保持部を基板支持部の目標位置に移動させて基板支持部の基準位置で支持された基板を受け取るように第１の搬送装置を制御し、位置検出部により検出される位置関係に基づいて目標位置と基準位置とのずれを補正情報として取得し、教示動作時または基板処理時に、取得された補正情報に基づいて目標位置が基準位置に一致するように目標位置を補正し、基板処理時に、第１の保持部を補正された目標位置に移動させるように第１の搬送装置を制御する。
【０００８】
この基板処理装置においては、第１の搬送装置に関する教示動作時に、第１の搬送装置の第１の保持部が基板支持部の目標位置に移動され、基板支持部の基準位置で支持された基板が第１の保持部により受け取られる。ここで、第１の保持部が予め定められた進退基準位置と他の位置との間で直線状に前進または後退され、第１の保持部により保持される基板の外周部の複数の部分が複数の検出器によりそれぞれ検出される。複数の検出器の各々による検出のタイミングに基づいて第１の保持部により保持された基板と第１の保持部との位置関係が検出される。検出された位置関係に基づいて目標位置と基準位置とのずれが補正情報として取得される。
【０００９】
教示動作時または基板処理時に、取得された補正情報に基づいて目標位置が基準位置に一致するように目標位置が補正される。基板処理時に、第１の保持部が補正された目標位置に移動されることにより、第１の保持部により基板支持部に基板が渡され、または基板支持部から基板が受け取られる。それにより、基準位置で基板が支持されるように第１の保持部により基板を基板支持部に渡すことができ、または基準位置で支持された基板を受け取るように第１の保持部を基板支持部に移動させることができる。
【００１０】
この構成によれば、基板支持部により基準位置で支持された基板を第１の搬送装置の第１の保持部が受け取ることにより、第１の搬送装置に関する教示動作が行われる。これにより、第１の搬送装置に関する教示を行うための作業者の負担が低減される。この場合、第１の搬送装置に関する教示を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで第１の搬送装置に関する教示を行うことができる。
【００１１】
（２）基板支持部は、基板を基準位置に導く案内機構を含み、教示動作時に、案内機構により基板が基板支持部の基準位置に導かれてもよい。
【００１２】
この場合、基板が案内機構により基準位置に導かれる。これにより、教示動作時に、作業者が基板を基準位置に位置決めする作業が不要となる。したがって、作業者の負担がより低減される。また、基板処理時においても、基板が案内機構により基板支持部の基準位置に正確に位置決めされる。
【００１３】
（３）基板処理装置は、基板を収納する収納容器をさらに備え、収納容器は、基板支持部を含み、基板を案内機構により基準位置に収納するように構成され、目標位置は、収納容器内に設定され、制御部は、教示動作時に、第１の保持部を収納容器内の目標位置に移動させて収納容器内の基準位置に収納された基板を受け取るように第１の搬送装置を制御してもよい。
【００１４】
この場合、基板は、案内機構により収納容器内の基準位置に収納される。これにより、教示動作時に、作業者が基板を基準位置に位置決めする作業が不要となる。したがって、作業者の負担がより低減される。
【００１５】
（４）基板処理装置は、基板に処理を行う処理ユニットをさらに備え、処理ユニットは基板支持部を含み、目標位置は、処理ユニット内に設定され、制御部は、教示動作時に、第１の保持部を処理ユニット内の目標位置に移動させて処理ユニット内において案内機構により基準位置で支持された基板を受け取るように第１の搬送装置を制御してもよい。
【００１６】
この場合、基板は、処理ユニット内において、案内機構により基準位置で支持される。また、作業者が基板を基準位置に位置決めする作業が不要となる。したがって、作業者の負担がより低減される。
【００１７】
（５）基板処理装置は、基板支持部を含み、基板が一時的に載置される基板載置部と、基板を保持するように構成された第２の保持部を有し、第２の保持部を移動させることにより基板を搬送する第２の搬送装置とをさらに備え、目標位置は、基板載置部上に設定され、制御部は、教示動作時に、第２の保持部を基板載置部の基板支持部に移動させて基板支持部に基板を載置するように第２の搬送装置を制御し、基板支持部に載置される基板の位置を基準位置とみなし、第１の保持部を基板載置部上の目標位置に移動させて基板支持部に載置された基板を受け取るように第１の搬送装置を制御してもよい。
【００１８】
この場合、基板載置部を介して第１の搬送装置の第１の保持部と第２の搬送装置の第２の保持部との間で基板が受け渡される。ここで、第２の保持部により基板載置部に載置された基板の位置が基準位置とみなされる。これにより、作業者が基板を基準位置に位置決めする作業が不要となる。したがって、作業者の負担がより低減される。
【００１９】
（６）基板処理装置は、基板を保持するように構成された第２の保持部を基板支持部として有し、第２の保持部を移動させることにより基板を搬送する第２の搬送装置をさらに備え、目標位置は、第１の搬送装置と第２の搬送装置との間での基板の受け渡し時の第２の保持部に設定され、制御部は、教示動作時に、第２の保持部に保持される基板の位置を基準位置とみなし、第１の保持部を第２の保持部の目標位置に移動させて第２の保持部から基板を受け取るように第１の搬送装置を制御してもよい。
【００２０】
この場合、第１の搬送装置の第１の保持部と第２の搬送装置の第２の保持部との間で基板が受け渡される。ここで、第２の保持部に保持された基板の位置が基準位置とみなされる。これにより、作業者が基板を基準位置に位置決めする作業が不要となる。したがって、作業者の負担がより低減される。
【００２１】
（７）第２の発明に係る基板処理装置は、基板に処理を行う基板処理装置であって、予め設定された基準位置を有し、基板を水平姿勢で保持して基準位置の周りで回転可能に構成される基板支持部と、基板を保持するように構成されるとともに予め定められた進退基準位置と他の位置との間で直線状に前進および後退可能に設けられた第１の保持部を有し、第１の保持部を移動させることにより基板を搬送する第１の搬送装置と、第１の保持部により保持された基板と第１の保持部との位置関係を検出する位置検出部と、第１の保持部を移動させて基板支持部に基板を渡しまたは基板支持部から基板を受け取るように第１の搬送装置を制御する制御部とを備え、位置検出部は、第１の保持部が進退基準位置と他の位置との間で前進または後退する際に第１の保持部により保持される基板の外周部の複数の部分をそれぞれ検出するように設けられた複数の検出器を含み、複数の検出器の各々による検出のタイミングに基づいて第１の保持部により保持された基板と第１の保持部との位置関係を検出し、制御部は、第１の搬送装置に関する教示動作時に、第１の保持部を基板支持部の目標位置に移動させて基板支持部に基板を渡すように第１の搬送装置を制御し、基板支持部により支持された基板が所定の角度だけ回転されるように基板支持部を制御し、第１の保持部を基板支持部の目標位置に移動させて基板支持部により支持された基板を受け取るように第１の搬送装置を制御し、基板支持部へ基板を渡す前における第１の保持部と基板との位置関係および基板支持部から基板を受け取った後において位置検出部により検出された位置関係に基づいて目標位置と基準位置とのずれを補正情報として取得し、教示動作時または基板処理時に、取得された補正情報に基づいて目標位置が基準位置に一致するように目標位置を補正し、基板処理時に、第１の保持部を補正された目標位置に移動させるように第１の搬送装置を制御する。
【００２２】
この基板処理装置においては、第１の搬送装置に関する教示動作時に、第１の保持部が予め定められた進退基準位置と他の位置との間で直線状に前進または後退され、第１の保持部により保持される基板の外周部の複数の部分が複数の検出器によりそれぞれ検出される。複数の検出器の各々による検出のタイミングに基づいて第１の搬送装置の第１の保持部により保持された基板と第１の保持部との位置関係が検出される。第１の搬送装置の第１の保持部が基板支持部の目標位置に移動され、基板支持部に基板が渡される。基板支持部により水平姿勢で支持された基板が基準位置の周りで所定の角度だけ回転される。第１の保持部が基板支持部の目標位置に移動され、基板支持部により支持された基板が第１の保持部により受け取られて保持される。その後、第１の保持部が進退基準位置と他の位置との間で直線状に前進または後退され、第１の保持部により保持される基板の外周部の複数の部分が複数の検出器によりそれぞれ検出される。複数の検出器の各々による検出のタイミングに基づいて第１の保持部により保持された基板と第１の保持部との位置関係が検出される。基板支持部へ基板を渡す前における第１の保持部と基板との位置関係および基板支持部から基板を受け取った後における位置関係に基づいて目標位置と基準位置とのずれが補正情報として取得される。
【００２３】
教示動作時または基板処理時に、取得された補正情報に基づいて目標位置が基準位置に一致するように目標位置が補正される。基板処理時に、第１の保持部が補正された目標位置に移動されることにより、第１の保持部により基板支持部に基板が渡され、または基板支持部から基板が受け取られる。それにより、基準位置で基板が支持されるように第１の保持部により基板を基板支持部に渡すことができ、または基準位置で支持された基板を受け取るように第１の保持部を基板支持部に移動させることができる。
【００２４】
この構成によれば、第１の搬送装置の第１の保持部が基板支持部に基板を渡して回転後の基板を受け取ることにより、第１の搬送装置に関する教示動作が行われる。これにより、第１の搬送装置に関する教示を行うための作業者の負担が低減される。この場合、第１の搬送装置に関する教示を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで第１の搬送装置に関する教示を行うことができる。
【００２５】
（８）所定の角度は１８０度であってもよい。この場合、基板支持部へ基板を渡す前における第１の保持部と基板との位置関係および基板支持部から基板を受け取った後における位置関係に基づいて補正情報を容易に取得することができる。
【００２６】
（９）基板処理装置は、第１の保持部が基板の下面を保持したことを検出する保持検出部をさらに備え、制御部は、教示動作時に、第１の保持部を基板支持部により基準高さで支持された基板の下方から上昇させるように第１の搬送装置を制御し、保持検出部による検出時点における第１の保持部の垂直方向の位置に基づいて垂直方向における目標高さを決定し、基板処理時における基板支持部への第１の保持部の移動の際に、第１の保持部を決定された目標高さに移動させるように第１の搬送装置を制御してもよい。
【００２７】
この場合、第１の搬送装置の第１の保持部が基板支持部により支持される基板を受け取ることにより、第１の搬送装置に関する垂直方向の教示動作が行われる。これにより、第１の搬送装置に関する垂直方向の教示を行うための作業者の負担が低減される。したがって、第１の搬送装置に関する教示動作を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで第１の搬送装置に関する垂直方向の教示を行うことができる。
【００２８】
（１０）第１の搬送装置は、第１の保持部を複数有し、制御部は、教示動作時に、基板支持部を介して一の第１の保持部と他の第１の保持部との間で基板が搬送されるように第１の搬送装置を制御し、一の第１の保持部と基板との位置関係、他の第１の保持部と基板との位置関係および一の第１の保持部に対応する補正情報に基づいて、他の第１の保持部に対応する目標位置と基準位置とのずれを他の第１の保持部に対応する補正情報として取得し、教示動作時または基板処理時に、取得された他の第１の保持部に対応する補正情報に基づいて他の第１の保持部に対応する目標位置が基準位置に一致するように他の第１の保持部に対応する目標位置を補正し、基板処理時に、他の第１の保持部を補正された他の第１の保持部に対応する目標位置に移動させるように第１の搬送装置を制御してもよい。
【００２９】
この場合、第１の搬送装置の一の第１の保持部に対応する補正情報に基づいて、他の第１の保持部に対応する補正情報を容易に取得することができる。
【００３０】
（１１）第３の発明に係る基板処理装置は、基板に処理を行う基板処理装置であって、基板を支持可能に構成される基板支持部と、基板を保持するように構成された保持部を有し、保持部を移動させることにより基板を搬送する搬送装置と、保持部が基板の下面を保持したことを検出する保持検出部と、保持部の位置を常時検出するエンコーダと、保持部を移動させて基板支持部に基板を渡しまたは基板支持部から基板を受け取るように搬送装置を制御する制御部とを備え、保持部は、基板の下面を吸着する複数の吸着部を含み、保持検出部は、複数の吸着部が基板を吸着している場合に保持部が基板の下面を保持したと判定し、複数の吸着部のいずれかが基板を吸着していない場合に保持部が基板の下面を保持していないと判定し、制御部は、搬送装置に関する教示動作時に、保持部を基板支持部により基準高さで支持された基板の下方から上昇させるように搬送装置を制御し、エンコーダにより常時検出される位置のうち保持検出部により保持部が基板の下面を保持したと判定された時点における保持部の垂直方向の位置に基づいて垂直方向における目標高さを決定し、基板処理時における基板支持部への保持部の移動の際に、保持部を決定された目標高さに移動させるように搬送装置を制御する。
【００３１】
この基板処理装置においては、搬送装置に関する教示動作時に、搬送装置の保持部が基板支持部により基準高さで支持された基板の下方から上昇される。複数の吸着部が基板を吸着している場合に保持部が基板の下面を保持したことが保持検出部により判定され、複数の吸着部のいずれかが基板を吸着していない場合には、保持部が基板の下面を保持していないと判定される。エンコーダにより常時検出される位置のうち保持検出部により保持部が基板の下面を保持したと判定された時点における保持部の垂直方向の位置に基づいて垂直方向における目標高さが決定される。基板処理時における基板支持部への保持部の移動の際に、保持部が決定された目標高さに移動されることにより、基板支持部に基板が渡され、または基板支持部から基板が受け取られる。それにより、基準高さで基板が支持されるように保持部により基板を基板支持部に渡すことができ、または基準高さで支持された基板を受け取るように保持部を基板支持部に移動させることができる。
【００３２】
この構成によれば、搬送装置の保持部が基板支持部により支持される基板を受け取ることにより、搬送装置に関する垂直方向の教示動作が行われる。これにより、搬送装置に関する垂直方向の教示を行うための作業者の負担が低減される。この場合、搬送装置に関する教示動作を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで搬送装置に関する垂直方向の教示を行うことができる。
【００３５】
（１２）第４の発明に係る基板処理方法は、基板に処理を行う基板処理方法であって、第１の搬送装置に関する教示動作時に、第１の搬送装置の第１の保持部を基板支持部の目標位置に移動させて基板支持部の基準位置で支持された基板を受け取るステップと、第１の保持部を予め定められた進退基準位置と他の位置との間で直線状に前進または後退させるステップと、第１の保持部が進退基準位置と他の位置との間で前進または後退する際に第１の保持部により保持される基板の外周部の複数の部分を複数の検出器によりそれぞれ検出するステップと、複数の検出器の各々による検出のタイミングに基づいて第１の保持部により保持された基板と第１の保持部との位置関係を検出するステップと、検出された位置関係に基づいて目標位置と基準位置とのずれを補正情報として取得するステップと、教示動作時または基板処理時に、取得された補正情報に基づいて目標位置が基準位置に一致するように目標位置を補正するステップと、基板処理時に、第１の保持部を補正された目標位置に移動させることにより、基板支持部に基板を渡しまたは基板支持部から基板を受け取るステップとを含む。
【００３６】
この基板処理方法によれば、第１の搬送装置に関する教示動作時に、第１の搬送装置の第１の保持部が基板支持部の目標位置に移動され、基板支持部の基準位置で支持された基板が第１の保持部により受け取られる。ここで、第１の保持部が予め定められた進退基準位置と他の位置との間で直線状に前進または後退され、第１の保持部により保持される基板の外周部の複数の部分が複数の検出器によりそれぞれ検出される。複数の検出器の各々による検出のタイミングに基づいて第１の保持部により保持された基板と第１の保持部との位置関係が検出される。検出された位置関係に基づいて目標位置と基準位置とのずれが補正情報として取得される。
【００３７】
教示動作時または基板処理時に、取得された補正情報に基づいて目標位置が基準位置に一致するように目標位置が補正される。基板処理時に、第１の保持部が補正された目標位置に移動されることにより、第１の保持部により基板支持部に基板が渡され、または基板支持部から基板が受け取られる。それにより、基準位置で基板が支持されるように第１の保持部により基板を基板支持部に渡すことができ、または基準位置で支持された基板を受け取るように第１の保持部を基板支持部に移動させることができる。
【００３８】
この構成によれば、基板支持部により基準位置で支持された基板を第１の搬送装置の第１の保持部が受け取ることにより、第１の搬送装置に関する教示動作が行われる。これにより、第１の搬送装置に関する教示を行うための作業者の負担が低減される。この場合、第１の搬送装置に関する教示を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで第１の搬送装置に関する教示を行うことができる。
【００３９】
（１３）第５の発明に係る基板処理方法は、基板に処理を行う基板処理方法であって、第１の搬送装置に関する教示動作時に、基板を保持する第１の搬送装置の第１の保持部を予め定められた進退基準位置と他の位置との間で直線状に前進または後退させるステップと、第１の保持部が進退基準位置と他の位置との間で前進または後退する際に第１の保持部により保持される基板の外周部の複数の部分を複数の検出器によりそれぞれ検出するステップと、複数の検出器の各々による検出のタイミングに基づいて第１の搬送装置の第１の保持部により保持された基板と第１の保持部との位置関係を検出するステップと、第１の保持部を基板支持部の目標位置に移動させて基板支持部に基板を渡すステップと、基板支持部により水平姿勢で支持された基板を基準位置の周りで所定の角度だけ回転させるステップと、第１の保持部を基板支持部の目標位置に移動させて基板支持部により支持された基板を受け取るステップと、基板支持部から受け取った基板を保持する第１の保持部を進退基準位置と他の位置との間で直線状に前進または後退させるステップと、第１の保持部が進退基準位置と他の位置との間で前進または後退する際に第１の保持部により保持される基板の外周部の複数の部分を複数の検出器によりそれぞれ検出するステップと、複数の検出器の各々による検出のタイミングに基づいて第１の保持部により保持された基板と第１の保持部との位置関係を検出するステップと、基板支持部へ基板を渡す前における第１の保持部と基板との位置関係および基板支持部から基板を受け取った後における位置関係に基づいて目標位置と基準位置とのずれを補正情報として取得するステップと、教示動作時または基板処理時に、取得された補正情報に基づいて目標位置が基準位置に一致するように目標位置を補正するステップと、基板処理時に、第１の保持部を補正された目標位置に移動させることにより、基板支持部に基板を渡しまたは基板支持部から基板を受け取るステップとを含む。
【００４０】
この基板処理方法によれば、第１の搬送装置に関する教示動作時に、第１の保持部が予め定められた進退基準位置と他の位置との間で直線状に前進または後退され、第１の保持部により保持される基板の外周部の複数の部分が複数の検出器によりそれぞれ検出される。複数の検出器の各々による検出のタイミングに基づいて第１の搬送装置の第１の保持部により保持された基板と第１の保持部との位置関係が検出される。第１の搬送装置の第１の保持部が基板支持部の目標位置に移動され、基板支持部に基板が渡される。基板支持部により水平姿勢で支持された基板が基準位置の周りで所定の角度だけ回転される。第１の保持部が基板支持部の目標位置に移動され、基板支持部により支持された基板が第１の保持部により受け取られて保持される。その後、第１の保持部が進退基準位置と他の位置との間で直線状に前進または後退され、第１の保持部により保持される基板の外周部の複数の部分が複数の検出器によりそれぞれ検出される。複数の検出器の各々による検出のタイミングに基づいて第１の保持部により保持された基板と第１の保持部との位置関係が検出される。基板支持部へ基板を渡す前における第１の保持部と基板との位置関係および基板支持部から基板を受け取った後における位置関係に基づいて目標位置と基準位置とのずれが補正情報として取得される。
【００４１】
教示動作時または基板処理時に、取得された補正情報に基づいて目標位置が基準位置に一致するように目標位置が補正される。基板処理時に、第１の保持部が補正された目標位置に移動されることにより、第１の保持部により基板支持部に基板が渡され、または基板支持部から基板が受け取られる。それにより、基準位置で基板が支持されるように第１の保持部により基板を基板支持部に渡すことができ、または基準位置で支持された基板を受け取るように第１の保持部を基板支持部に移動させることができる。
【００４２】
この構成によれば、第１の搬送装置の第１の保持部が基板支持部に基板を渡して回転後の基板を受け取ることにより、第１の搬送装置に関する教示動作が行われる。これにより、第１の搬送装置に関する教示を行うための作業者の負担が低減される。この場合、第１の搬送装置に関する教示を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで第１の搬送装置に関する教示を行うことができる。
【００４３】
（１４）第６の発明に係る基板処理方法は、基板に処理を行う基板処理方法であって、搬送装置に関する教示動作時に、搬送装置の保持部を基板支持部により基準高さで支持された基板の下方から上昇させるステップと、保持部の位置をエンコーダにより常時検出するステップと、保持部が基板の下面を保持したことを保持検出部により検出するステップと、エンコーダにより常時検出される位置のうち保持検出部により保持部が基板の下面を保持したと判定された時点における保持部の垂直方向の位置に基づいて垂直方向における目標高さを決定するステップと、基板処理時における基板支持部への保持部の移動の際に、保持部を決定された目標高さに移動させることにより、基板支持部に基板を渡しまたは基板支持部から基板を受け取るステップとを含み、保持部は、基板の下面を吸着する複数の吸着部を含み、保持検出部により検出するステップは、複数の吸着部が基板を吸着している場合に保持部が基板の下面を保持したと判定し、複数の吸着部のいずれかが基板を吸着していない場合に保持部が基板の下面を保持していないと判定することを含む。
【００４４】
この基板処理方法によれば、搬送装置に関する教示動作時に、搬送装置の保持部が基板支持部により基準高さで支持された基板の下方から上昇される。複数の吸着部が基板を吸着している場合に保持部が基板の下面を保持したことが保持検出部により判定され、複数の吸着部のいずれかが基板を吸着していない場合には、保持部が基板の下面を保持していないと判定される。エンコーダにより常時検出される位置のうち保持検出部により保持部が基板の下面を保持したと判定された時点における保持部の垂直方向の位置に基づいて垂直方向における目標高さが決定される。基板処理時における基板支持部への保持部の移動の際に、保持部が決定された目標高さに移動されることにより、基板支持部に基板が渡され、または基板支持部から基板が受け取られる。それにより、基準高さで基板が支持されるように保持部により基板を基板支持部に渡すことができ、または基準高さで支持された基板を受け取るように保持部を基板支持部に移動させることができる。
【００４５】
この構成によれば、搬送装置の保持部が基板支持部により支持される基板を受け取ることにより、搬送装置に関する垂直方向の教示動作が行われる。これにより、搬送装置に関する垂直方向の教示を行うための作業者の負担が低減される。この場合、搬送装置に関する教示動作を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで搬送装置に関する垂直方向の教示を行うことができる。
【発明の効果】
【００４６】
本発明によれば、作業者の負担を低減しつつ低コストで搬送装置に関する教示を行うことができる。
【図面の簡単な説明】
【００４７】
【図１】本発明の一実施の形態に係る基板処理装置の模式的平面図である。
【図２】主として図１の塗布処理部、現像処理部および洗浄乾燥処理部を示す基板処理装置の模式的側面図である。
【図３】主として図１の熱処理部および洗浄乾燥処理部を示す基板処理装置の模式的側面図である。
【図４】主として図１の搬送部を示す側面図である。
【図５】搬送機構を示す斜視図である。
【図６】搬送機構を示す平面図、側面図および端面図である。
【図７】搬送機構の制御系の構成を示すブロック図である。
【図８】垂直方向の教示動作を説明するための図である。
【図９】水平方向の教示動作を説明するための図である。
【図１０】図５および図６のセンサ装置による基板の外周部の複数の部分の検出方法を説明するための図である。
【図１１】基板支持部がキャリアに設けられる場合における基準位置を説明するための図である。
【図１２】基板支持部が基板載置部に設けられる場合における基準位置を説明するための図である。
【図１３】熱処理ユニットの斜視図である。
【図１４】図１３の熱処理ユニットの平面図である。
【図１５】図１３の熱処理ユニットの側面図である。
【図１６】基板支持部が熱処理ユニットに設けられる場合における基準位置を説明するための図である。
【図１７】洗浄乾燥処理ユニットの構成を示す図である。
【図１８】洗浄乾燥処理ユニットの動作を説明するための模式図である。
【図１９】基板支持部が洗浄乾燥処理ユニットに設けられる場合における基準位置を説明するための図である。
【図２０】基板支持部がスピンチャックである場合における水平方向の教示動作を説明するための図である。
【図２１】１つのセンサ装置により２つのハンドに保持される２枚の基板の外周部を検出するための搬送機構の一制御例を示す図である。
【図２２】１つのセンサ装置により２つのハンドに保持される２枚の基板の外周部を検出するための搬送機構の一制御例を示す図である。
【図２３】他の実施の形態における他方のハンドの教示動作を説明するための図である。
【図２４】搬送機構間で基板の受け渡しが直接行われる場合における基準位置を説明するための図である。
【発明を実施するための形態】
【００４８】
以下、本発明の一実施の形態に係る基板処理装置および基板処理方法について図面を用いて説明する。なお、以下の説明において、基板とは、半導体基板、液晶表示装置用基板、プラズマディスプレイ用基板、光ディスク用基板、磁気ディスク用基板、光磁気ディスク用基板またはフォトマスク用基板等をいう。
【００４９】
（１）基板処理装置の構成
図１は、本発明の一実施の形態に係る基板処理装置の模式的平面図である。
【００５０】
図１および図２以降の所定の図には、位置関係を明確にするために互いに直交するＸ方向、Ｙ方向およびＺ方向を示す矢印を付している。Ｘ方向およびＹ方向は水平面内で互いに直交し、Ｚ方向は鉛直方向に相当する。
【００５１】
図１に示すように、基板処理装置１００は、インデクサブロック１１、第１の処理ブロック１２、第２の処理ブロック１３、洗浄乾燥処理ブロック１４Ａおよび搬入搬出ブロック１４Ｂを備える。洗浄乾燥処理ブロック１４Ａおよび搬入搬出ブロック１４Ｂにより、インターフェースブロック１４が構成される。搬入搬出ブロック１４Ｂに隣接するように露光装置１５が配置される。露光装置１５においては、液浸法により基板Ｗに露光処理が行われる。
【００５２】
図１に示すように、インデクサブロック１１は、複数のキャリア載置部１１１および搬送部１１２を含む。各キャリア載置部１１１には、複数の基板Ｗを多段に収納するキャリア１１３が載置される。
【００５３】
搬送部１１２には、制御部１１４および搬送機構１１５が設けられる。制御部１１４は、基板処理装置１００の種々の構成要素を制御する。搬送機構１１５は、基板Ｗを保持するためのハンド１１６を有する。搬送機構１１５は、ハンド１１６により基板Ｗを保持しつつその基板Ｗを搬送する。
【００５４】
搬送部１１２の側面には、メインパネルＰＮが設けられる。メインパネルＰＮは、制御部１１４に接続されている。使用者は、基板処理装置１００における基板Ｗの処理状況等をメインパネルＰＮで確認することができる。メインパネルＰＮの近傍には、例えばキーボードからなる図示しない操作部が設けられている。使用者は、操作部を操作することにより基板処理装置１００の動作設定等を行うことができる。
【００５５】
第１の処理ブロック１２は、塗布処理部１２１、搬送部１２２および熱処理部１２３を含む。塗布処理部１２１および熱処理部１２３は、搬送部１２２を挟んで対向するように設けられる。搬送部１２２とインデクサブロック１１との間には、基板Ｗが載置される基板載置部ＰＡＳＳ１および後述する基板載置部ＰＡＳＳ２〜ＰＡＳＳ４（図４参照）が設けられる。搬送部１２２には、基板Ｗを搬送する搬送機構１２７および後述する搬送機構１２８（図４参照）が設けられる。
【００５６】
第２の処理ブロック１３は、現像処理部１３１、搬送部１３２および熱処理部１３３を含む。現像処理部１３１および熱処理部１３３は、搬送部１３２を挟んで対向するように設けられる。搬送部１３２と搬送部１２２との間には、基板Ｗが載置される基板載置部ＰＡＳＳ５および後述する基板載置部ＰＡＳＳ６〜ＰＡＳＳ８（図４参照）が設けられる。搬送部１３２には、基板Ｗを搬送する搬送機構１３７および後述する搬送機構１３８（図４参照）が設けられる。
【００５７】
洗浄乾燥処理ブロック１４Ａは、洗浄乾燥処理部１６１，１６２および搬送部１６３を含む。洗浄乾燥処理部１６１，１６２は、搬送部１６３を挟んで対向するように設けられる。搬送部１６３には、搬送機構１４１，１４２が設けられる。
【００５８】
搬送部１６３と搬送部１３２との間には、載置兼バッファ部Ｐ−ＢＦ１および後述の載置兼バッファ部Ｐ−ＢＦ２（図４参照）が設けられる。載置兼バッファ部Ｐ−ＢＦ１，Ｐ−ＢＦ２は、複数の基板Ｗを収容可能に構成される。
【００５９】
また、搬送機構１４１，１４２の間において、搬入搬出ブロック１４Ｂに隣接するように、基板載置部ＰＡＳＳ９および後述の載置兼冷却部Ｐ−ＣＰ（図４参照）が設けられる。載置兼冷却部Ｐ−ＣＰにおいて、基板Ｗが露光処理に適した温度に冷却される。
【００６０】
搬入搬出ブロック１４Ｂには、搬送機構１４６が設けられる。搬送機構１４６は、露光装置１５に対する基板Ｗの搬入および搬出を行う。露光装置１５には、基板Ｗを搬入するための基板搬入部１５ａおよび基板Ｗを搬出するための基板搬出部１５ｂが設けられる。
【００６１】
（２）塗布処理部および現像処理部の構成
図２は、主として図１の塗布処理部１２１、現像処理部１３１および洗浄乾燥処理部１６１を示す基板処理装置１００の模式的側面図である。
【００６２】
図２に示すように、塗布処理部１２１には、塗布処理室２１，２２，２３，２４が階層的に設けられる。現像処理部１３１には、現像処理室３１，３２，３３，３４が階層的に設けられる。塗布処理室２１〜２４の各々には、塗布処理ユニット１２９が設けられる。現像処理室３１〜３４の各々には、現像処理ユニット１３９が設けられる。
【００６３】
各塗布処理ユニット１２９は、基板Ｗを保持するスピンチャック２５およびスピンチャック２５の周囲を覆うように設けられるカップ２７を備える。本実施の形態では、各塗布処理ユニット１２９に２組のスピンチャック２５およびカップ２７が設けられる。スピンチャック２５は、図示しない駆動装置（例えば、電動モータ）により回転駆動される。また、図１に示すように、各塗布処理ユニット１２９は、処理液を吐出する複数の処理液ノズル２８およびそれらの処理液ノズル２８を移動させるノズル搬送機構２９を備える。
【００６４】
塗布処理ユニット１２９においては、図示しない駆動装置によりスピンチャック２５が回転されるとともに、複数の処理液ノズル２８のうちのいずれかの処理液ノズル２８がノズル搬送機構２９により基板Ｗの上方に移動され、その処理液ノズル２８から処理液が吐出される。これにより、基板Ｗ上に処理液が塗布される。また、図示しないエッジリンスノズルから、基板Ｗの周縁部にリンス液が吐出される。それにより、基板Ｗの周縁部に付着する処理液が除去される。
【００６５】
塗布処理室２２，２４の塗布処理ユニット１２９においては、反射防止膜用の処理液が処理液ノズル２８から基板Ｗに供給される。塗布処理室２１，２３の塗布処理ユニット１２９においては、レジスト膜用の処理液が処理液ノズル２８から基板Ｗに供給される。
【００６６】
現像処理ユニット１３９は、塗布処理ユニット１２９と同様に、スピンチャック３５およびカップ３７を備える。また、図１に示すように、現像処理ユニット１３９は、現像液を吐出する２つの現像ノズル３８およびその現像ノズル３８をＸ方向に移動させる移動機構３９を備える。
【００６７】
現像処理ユニット１３９においては、図示しない駆動装置によりスピンチャック３５が回転されるとともに、一方の現像ノズル３８がＸ方向に移動しつつ各基板Ｗに現像液を供給し、その後、他方の現像ノズル３８が移動しつつ各基板Ｗに現像液を供給する。この場合、基板Ｗに現像液が供給されることにより、基板Ｗの現像処理が行われる。また、本実施の形態においては、２つの現像ノズル３８から互いに異なる現像液が吐出される。それにより、各基板Ｗに２種類の現像液を供給することができる。
【００６８】
洗浄乾燥処理部１６１には、複数（本例では４つ）の洗浄乾燥処理ユニットＳＤ１が設けられる。洗浄乾燥処理ユニットＳＤ１においては、露光処理前の基板Ｗの洗浄および乾燥処理が行われる。
【００６９】
図１および図２に示すように、塗布処理部１２１において現像処理部１３１に隣接するように流体ボックス部５０が設けられる。同様に、現像処理部１３１において洗浄乾燥処理ブロック１４Ａに隣接するように流体ボックス部６０が設けられる。流体ボックス部５０および流体ボックス部６０内には、塗布処理ユニット１２９および現像処理ユニット１３９への薬液の供給ならびに塗布処理ユニット１２９および現像処理ユニット１３９からの廃液および排気等に関する流体関連機器が収納される。流体関連機器は、導管、継ぎ手、バルブ、流量計、レギュレータ、ポンプおよび温度調節器等を含む。
【００７０】
（３）熱処理部の構成
図３は、主として図１の熱処理部１２３，１３３および洗浄乾燥処理部１６２を示す基板処理装置１００の模式的側面図である。図３に示すように、熱処理部１２３は、上方に設けられる上段熱処理部３０１および下方に設けられる下段熱処理部３０２を有する。上段熱処理部３０１および下段熱処理部３０２には、複数の熱処理ユニットＰＨＰ、複数の密着強化処理ユニットＰＡＨＰおよび複数の冷却ユニットＣＰが設けられる。
【００７１】
熱処理ユニットＰＨＰにおいては、基板Ｗの加熱処理が行われる。密着強化処理ユニットＰＡＨＰにおいては、基板Ｗと反射防止膜との密着性を向上させるための密着強化処理が行われる。具体的には、密着強化処理ユニットＰＡＨＰにおいて、基板ＷにＨＭＤＳ（ヘキサメチルジシラサン）等の密着強化剤が塗布されるとともに、基板Ｗに加熱処理が行われる。冷却ユニットＣＰにおいては、基板Ｗの冷却処理が行われる。
【００７２】
熱処理部１３３は、上方に設けられる上段熱処理部３０３および下方に設けられる下段熱処理部３０４を有する。上段熱処理部３０３および下段熱処理部３０４には、冷却ユニットＣＰ、複数の熱処理ユニットＰＨＰおよびエッジ露光部ＥＥＷが設けられる。
【００７３】
エッジ露光部ＥＥＷは、基板Ｗを水平姿勢で吸着保持して回転するスピンチャック９８およびスピンチャック９８上に保持された基板Ｗの外周縁部を露光する光出射器９９を備える。エッジ露光部ＥＥＷにおいては、基板Ｗ上に形成されたレジスト膜の周縁部の一定幅の領域に露光処理（エッジ露光処理）が行われる。上段熱処理部３０３および下段熱処理部３０４において、洗浄乾燥処理ブロック１４Ａに隣り合うように設けられる熱処理ユニットＰＨＰは、洗浄乾燥処理ブロック１４Ａからの基板Ｗの搬入が可能に構成される。
【００７４】
洗浄乾燥処理部１６２には、複数（本例では５つ）の洗浄乾燥処理ユニットＳＤ２が設けられる。洗浄乾燥処理ユニットＳＤ２においては、露光処理後の基板Ｗの洗浄および乾燥処理が行われる。
【００７５】
（４）搬送部の構成
図４は、主として図１の搬送部１２２，１３２，１６３を示す側面図である。図４に示すように、搬送部１２２は、上段搬送室１２５および下段搬送室１２６を有する。搬送部１３２は、上段搬送室１３５および下段搬送室１３６を有する。上段搬送室１２５には搬送機構１２７が設けられ、下段搬送室１２６には搬送機構１２８が設けられる。また、上段搬送室１３５には搬送機構１３７が設けられ、下段搬送室１３６には搬送機構１３８が設けられる。
【００７６】
図４に示すように、搬送部１１２と上段搬送室１２５との間には、基板載置部ＰＡＳＳ１，ＰＡＳＳ２が設けられ、搬送部１１２と下段搬送室１２６との間には、基板載置部ＰＡＳＳ３，ＰＡＳＳ４が設けられる。上段搬送室１２５と上段搬送室１３５との間には、基板載置部ＰＡＳＳ５，ＰＡＳＳ６が設けられ、下段搬送室１２６と下段搬送室１３６との間には、基板載置部ＰＡＳＳ７，ＰＡＳＳ８が設けられる。
【００７７】
上段搬送室１３５と搬送部１６３との間には、載置兼バッファ部Ｐ−ＢＦ１が設けられ、下段搬送室１３６と搬送部１６３との間には載置兼バッファ部Ｐ−ＢＦ２が設けられる。搬送部１６３において搬入搬出ブロック１４Ｂと隣接するように、基板載置部ＰＡＳＳ９および複数の載置兼冷却部Ｐ−ＣＰが設けられる。
【００７８】
搬送機構１２７は、基板載置部ＰＡＳＳ１，ＰＡＳＳ２，ＰＡＳＳ５，ＰＡＳＳ６、塗布処理室２１，２２（図２）および上段熱処理部３０１（図３）の間で基板Ｗを搬送可能に構成される。搬送機構１２８は、基板載置部ＰＡＳＳ３，ＰＡＳＳ４，ＰＡＳＳ７，ＰＡＳＳ８、塗布処理室２３，２４（図２）および下段熱処理部３０２（図３）の間で基板Ｗを搬送可能に構成される。
【００７９】
搬送機構１３７は、基板載置部ＰＡＳＳ５，ＰＡＳＳ６、載置兼バッファ部Ｐ−ＢＦ１、現像処理室３１，３２（図２）および上段熱処理部３０３（図３）の間で基板Ｗを搬送可能に構成される。搬送機構１３８は、基板載置部ＰＡＳＳ７，ＰＡＳＳ８、載置兼バッファ部Ｐ−ＢＦ２、現像処理室３３，３４（図２）および下段熱処理部３０４（図３）の間で基板Ｗを搬送可能に構成される。
【００８０】
搬送部１１２，１２２，１３２，１６３には、搬送機構１２７，１２８，１３７，１３８，１４１，１４２，１４６をそれぞれ制御する複数の制御部５００が設けられる。複数の制御部５００の一部または全部が図１の制御部１１４により実現されてもよい。
【００８１】
（５）基板処理装置の動作
図１〜図４を参照しながら基板処理装置１００の動作を説明する。インデクサブロック１１のキャリア載置部１１１（図１）には、未処理の基板Ｗが収容されたキャリア１１３が載置される。搬送機構１１５は、キャリア１１３から基板載置部ＰＡＳＳ１，ＰＡＳＳ３（図４）に未処理の基板Ｗを搬送する。また、搬送機構１１５は、基板載置部ＰＡＳＳ２，ＰＡＳＳ４（図４）に載置された処理済みの基板Ｗをキャリア１１３に搬送する。
【００８２】
第１の処理ブロック１２において、搬送機構１２７（図４）は、基板載置部ＰＡＳＳ１に載置された基板Ｗを密着強化処理ユニットＰＡＨＰ（図３）、冷却ユニットＣＰ（図３）および塗布処理室２２（図２）に順に搬送する。次に、搬送機構１２７は、塗布処理室２２により反射防止膜が形成された基板Ｗを塗布処理室２２（図２）、熱処理ユニットＰＨＰ（図３）、冷却ユニットＣＰ（図３）および塗布処理室２１（図２）に順に搬送する。続いて、搬送機構１２７は、塗布処理室２１によりレジスト膜が形成された基板Ｗを、熱処理ユニットＰＨＰ（図３）および基板載置部ＰＡＳＳ５（図４）に順に搬送する。
【００８３】
この場合、密着強化処理ユニットＰＡＨＰにおいて、基板Ｗに密着強化処理が行われた後、冷却ユニットＣＰにおいて、反射防止膜の形成に適した温度に基板Ｗが冷却される。次に、塗布処理室２２において、塗布処理ユニット１２９（図２）により基板Ｗ上に反射防止膜が形成される。続いて、熱処理ユニットＰＨＰにおいて、基板Ｗの熱処理が行われた後、冷却ユニットＣＰにおいて、レジスト膜の形成に適した温度に基板Ｗが冷却される。次に、塗布処理室２１において、塗布処理ユニット１２９（図２）により、基板Ｗ上にレジスト膜が形成される。その後、熱処理ユニットＰＨＰにおいて、基板Ｗの熱処理が行われ、その基板Ｗが基板載置部ＰＡＳＳ５に載置される。
【００８４】
また、搬送機構１２７は、基板載置部ＰＡＳＳ６（図４）に載置された現像処理後の基板Ｗを基板載置部ＰＡＳＳ２（図４）に搬送する。
【００８５】
搬送機構１２８（図４）は、基板載置部ＰＡＳＳ３に載置された基板Ｗを密着強化処理ユニットＰＡＨＰ（図３）、冷却ユニットＣＰ（図３）および塗布処理室２４に順に搬送する。続いて、搬送機構１２８は、塗布処理室２４により反射防止膜が形成された基板Ｗを熱処理ユニットＰＨＰ（図３）、冷却ユニットＣＰ（図３）および塗布処理室２３に順に搬送する。続いて、搬送機構１２８は、塗布処理室２３によりレジスト膜が形成された基板Ｗを熱処理ユニットＰＨＰ（図３）および基板載置部ＰＡＳＳ７（図４）に順に搬送する。
【００８６】
また、搬送機構１２８（図４）は、基板載置部ＰＡＳＳ８（図４）に載置された現像処理後の基板Ｗを基板載置部ＰＡＳＳ４（図４）に搬送する。塗布処理室２３，２４（図２）および下段熱処理部３０２（図３）における基板Ｗの処理内容は、上記の塗布処理室２１，２２（図２）および上段熱処理部３０１（図３）における基板Ｗの処理内容と同様である。
【００８７】
第２の処理ブロック１３において、搬送機構１３７（図４）は、基板載置部ＰＡＳＳ５に載置されたレジスト膜形成後の基板Ｗをエッジ露光部ＥＥＷ（図３）および載置兼バッファ部Ｐ−ＢＦ１（図４）に順に搬送する。この場合、エッジ露光部ＥＥＷにおいて、基板Ｗにエッジ露光処理が行われる。エッジ露光処理後の基板Ｗが載置兼バッファ部Ｐ−ＢＦ１に載置される。
【００８８】
また、搬送機構１３７（図４）は、洗浄乾燥処理ブロック１４Ａに隣接する熱処理ユニットＰＨＰ（図３）から露光処理後でかつ熱処理後の基板Ｗを取り出す。搬送機構１３７は、その基板Ｗを冷却ユニットＣＰ（図３）、現像処理室３１，３２（図２）のいずれか一方、熱処理ユニットＰＨＰ（図３）および基板載置部ＰＡＳＳ６（図４）に順に搬送する。
【００８９】
この場合、冷却ユニットＣＰにおいて、現像処理に適した温度に基板Ｗが冷却された後、現像処理室３１，３２のいずれか一方において、現像処理ユニット１３９により基板Ｗの現像処理が行われる。その後、熱処理ユニットＰＨＰにおいて、基板Ｗの熱処理が行われ、その基板Ｗが基板載置部ＰＡＳＳ６に載置される。
【００９０】
搬送機構１３８（図４）は、基板載置部ＰＡＳＳ７に載置されたレジスト膜形成後の基板Ｗをエッジ露光部ＥＥＷ（図３）および載置兼バッファ部Ｐ−ＢＦ２（図４）に順に搬送する。
【００９１】
また、搬送機構１３８（図４）は、インターフェースブロック１４に隣接する熱処理ユニットＰＨＰ（図３）から露光処理後でかつ熱処理後の基板Ｗを取り出す。搬送機構１３８は、その基板Ｗを冷却ユニットＣＰ（図３）、現像処理室３３，３４（図２）のいずれか一方、熱処理ユニットＰＨＰ（図３）および基板載置部ＰＡＳＳ８（図４）に順に搬送する。現像処理室３３，３４および下段熱処理部３０４における基板Ｗの処理内容は、上記の現像処理室３１，３２および上段熱処理部３０３における基板Ｗの処理内容と同様である。
【００９２】
洗浄乾燥処理ブロック１４Ａにおいて、搬送機構１４１（図１）は、載置兼バッファ部Ｐ−ＢＦ１，Ｐ−ＢＦ２（図４）に載置された基板Ｗを洗浄乾燥処理部１６１の洗浄乾燥処理ユニットＳＤ１（図２）に搬送する。続いて、搬送機構１４１は、基板Ｗを洗浄乾燥処理ユニットＳＤ１から載置兼冷却部Ｐ−ＣＰ（図４）に搬送する。この場合、洗浄乾燥処理ユニットＳＤ１において、基板Ｗの洗浄および乾燥処理が行われた後、載置兼冷却部Ｐ−ＣＰにおいて、露光装置１５（図１）における露光処理に適した温度に基板Ｗが冷却される。
【００９３】
搬送機構１４２（図１）は、基板載置部ＰＡＳＳ９（図４）に載置された露光処理後の基板Ｗを洗浄乾燥処理部１６２の洗浄乾燥処理ユニットＳＤ２（図３）に搬送する。また、搬送機構１４２は、洗浄および乾燥処理後の基板Ｗを洗浄乾燥処理ユニットＳＤ２から上段熱処理部３０３の熱処理ユニットＰＨＰ（図３）または下段熱処理部３０４の熱処理ユニットＰＨＰ（図３）に搬送する。この熱処理ユニットＰＨＰにおいては、露光後ベーク（ＰＥＢ）処理が行われる。
【００９４】
インターフェースブロック１４において、搬送機構１４６（図１）は、載置兼冷却部Ｐ−ＣＰ（図４）に載置された露光処理前の基板Ｗを露光装置１５の基板搬入部１５ａ（図１）に搬送する。また、搬送機構１４６（図１）は、露光装置１５の基板搬出部１５ｂ（図１）から露光処理後の基板Ｗを取り出し、その基板Ｗを基板載置部ＰＡＳＳ９（図４）に搬送する。
【００９５】
なお、露光装置１５が基板Ｗの受け入れをできない場合、露光処理前の基板Ｗが載置兼バッファ部Ｐ−ＢＦ１，Ｐ−ＢＦ２に一時的に収容される。また、第２の処理ブロック１３の現像処理ユニット１３９（図２）が露光処理後の基板Ｗの受け入れをできない場合、露光処理後の基板Ｗが載置兼バッファ部Ｐ−ＢＦ１，Ｐ−ＢＦ２に一時的に収容される。
【００９６】
本実施の形態においては、上段に設けられた塗布処理室２１，２２、現像処理室３１，３２および上段熱処理部３０１，３０３における基板Ｗの処理と、下段に設けられた塗布処理室２３，２４、現像処理室３３，３４および下段熱処理部３０２，３０４における基板Ｗの処理とを並行して行うことができる。それにより、フットプリントを増加させることなく、スループットを向上させることができる。
【００９７】
（６）搬送機構の構成
次に、搬送機構１２７について説明する。図５は、搬送機構１２７を示す斜視図である。搬送機構１１５，１２８，１３７，１３８，１４１，１４２，１４６は搬送機構１２７と同様の構成を有する。図４および図５に示すように、搬送機構１２７は、長尺状のガイドレール３１１，３１２を備える。図４に示すように、ガイドレール３１１は、上段搬送室１２５内において上下方向に延びるように搬送部１１２側に固定される。ガイドレール３１２は、上段搬送室１２５内において上下方向に延びるように上段搬送室１３５側に固定される。
【００９８】
図４および図５に示すように、ガイドレール３１１とガイドレール３１２との間には、長尺状のガイドレール３１３が設けられる。ガイドレール３１３は、上下動可能にガイドレール３１１，３１２に取り付けられる。ガイドレール３１３に移動部材３１４が取り付けられる。移動部材３１４は、ガイドレール３１３の長手方向に移動可能に設けられる。
【００９９】
移動部材３１４の上面には、長尺状の回転部材３１５が回転可能に設けられる。回転部材３１５には、基板Ｗを保持するためのハンドＨ１およびハンドＨ２が取り付けられる。本例においては、ハンドＨ１は、ハンドＨ２の上方に位置する。ハンドＨ１，Ｈ２は、回転部材３１５の長手方向に移動可能に設けられる。
【０１００】
上記のような構成により、搬送機構１２７は、上段搬送室１２５内においてＸ方向およびＺ方向に自在に移動することができる。また、ハンドＨ１，Ｈ２を用いて塗布処理室２１，２２（図２）、基板載置部ＰＡＳＳ１，ＰＡＳＳ２，ＰＡＳＳ５，ＰＡＳＳ６（図４）および上段熱処理部３０１（図３）に対して基板Ｗの受け渡しを行うことができる。
【０１０１】
また、回転部材３１５には、センサ装置３１６が取り付けられる。センサ装置３１６は、投光部保持ケーシング３１６ａおよび受光部保持ケーシング３１６ｂを含む。投光部保持ケーシング３１６ａは回転部材３１５の上面に配置され、受光部保持ケーシング３１６ｂは投光部保持ケーシング３１６ａの上方に配置される。
【０１０２】
図６（ａ），（ｂ），（ｃ）は、それぞれ搬送機構１２７を示す平面図、側面図および端面図である。図６（ａ）に示すように、ハンドＨ１は、ガイド部Ｈａおよびアーム部Ｈｂからなる。ガイド部Ｈａは略Ｃ字形状を有し、アーム部Ｈｂは長方形状を有する。ガイド部Ｈａの内周部には、ガイド部Ｈａの内周部に沿って形成される円の中心に対して等角度間隔で、ガイド部Ｈａの内側に向かうように複数（本例では３つ）の突出部ｐｒが形成されている。各突出部ｐｒの先端部に、吸着部ｓｍが設けられている。吸着部ｓｍは、図示しない吸気系に接続される。
【０１０３】
ハンドＨ１においては、３つの突出部ｐｒの３つの吸着部ｓｍ上に基板Ｗが載置される。図６（ａ）〜（ｃ）においては、ハンドＨ１により保持される基板Ｗが二点鎖線で示される。この状態で、３つの吸着部ｓｍに接続された吸気系が制御され、３つの吸着部ｓｍ上に位置する基板Ｗの３箇所の部分がそれぞれ３つの吸着部ｓｍにより吸着される。なお、ハンドＨ１は４つの吸着部ｓｍを有してもよい。この場合、４つの吸着部ｓｍ上に位置する基板Ｗの４箇所の部分がそれぞれ４つの吸着部ｓｍにより吸着される。
【０１０４】
複数の吸着部ｓｍが基板Ｗを吸着しているか否かを示す吸着信号が、ハンドＨ１から図４の制御部５００に与えられる。複数の吸着部ｓｍが基板Ｗを吸着している場合には吸着信号はオン状態となり、いずれかの吸着部ｓｍが基板Ｗを吸着していない場合には吸着信号はオフ状態となる。
【０１０５】
ハンドＨ２は、ハンドＨ１と同様の構成を有する。各ハンドＨ１，Ｈ２においては、保持される基板Ｗの中心が位置すべき正規の位置（以下、正規位置と呼ぶ。）が予め定められている。ハンドＨ１における正規位置は、例えばガイド部Ｈａの内周部に沿って形成される円の中心位置である。ハンドＨ１における正規位置は、複数の吸着部ｓｍの中心位置であってもよい。
【０１０６】
以下、ハンドＨ１，Ｈ２の進退方向においてハンドＨ１，Ｈ２が後退可能な限界位置を進退基準位置と呼ぶ。図６（ａ）〜（ｃ）の例では、ハンドＨ１，Ｈ２はそれぞれ進退基準位置にある。
【０１０７】
回転部材３１５の上面における略中央部に投光部保持ケーシング３１６ａが設けられる。投光部保持ケーシング３１６ａ内では、複数（本例では４つ）の投光部３１６ｔが保持されている。投光部保持ケーシング３１６ａに対向するように、回転部材３１５の上方の位置に受光部保持ケーシング３１６ｂが設けられる。受光部保持ケーシング３１６ｂ内では、投光部保持ケーシング３１６ａにより保持される複数の投光部３１６ｔにそれぞれ対向するように複数（本例では４つ）の受光部３１６ｒが保持されている。互いに対向する投光部３１６ｔおよび受光部３１６ｒにより検出器３１６Ｄが構成される。図６（ｃ）に示されるように、本例では、センサ装置３１６は４つの検出器３１６Ｄを備える。
【０１０８】
４つの検出器３１６Ｄは、水平面内において、進退基準位置にあるハンドＨ１のガイド部Ｈａの内側の領域に配置される。本例では、４つの検出器３１６Ｄがガイド部Ｈａの内周部に同心の円弧ａｒ上で一定の間隔をおいて配置される。
【０１０９】
４つの投光部３１６ｔから上方に向かってそれぞれ光が出射される。４つの受光部３１６ｒは、それぞれ対向する４つの投光部３１６ｔから出射される光を帰還光として受光することにより受光信号を出力する。各受光部３１６ｒから出力された受光信号は、制御部５００に与えられる。
【０１１０】
４つの投光部３１６ｔは、ハンドＨ１の進退方向において、進退基準位置にあるハンドＨ１の複数の吸着部ｓｍのうち少なくとも１つの吸着部ｓｍよりも前方に配置されることが好ましい。この場合、搬送機構１２７による基板Ｗの搬送時に、ハンドＨ１により保持される基板Ｗの外周部の４つの部分が４つの投光部３１６ｔによりそれぞれ確実に検出される。
【０１１１】
図７は、搬送機構１２７の制御系の構成を示すブロック図である。他の搬送機構１１５，１２８，１３７，１３８，１４１，１４２，１４６の制御系の構成は、図７の搬送機構１２７の制御系の構成と同様である。
【０１１２】
図７に示すように、制御部５００は、ＣＰＵ（中央演算処理装置）５１０およびメモリ５２０を含む。メモリ５２０には、後述する仮目標位置座標が記憶されるとともに、後述する補正情報が記憶される。ＣＰＵ５１０は、搬送機構１２７のセンサ装置３１６から与えられる受光信号に基づいて種々の演算を行い、その結果をメモリ５２０に記憶する。また、メモリ５２０に記憶された情報に基づいて、搬送機構１２７の動作を制御する。
【０１１３】
（７）搬送機構に関する教示動作
搬送機構１１５，１２７，１２８，１３７，１３８，１４１，１４２，１４６のハンドＨ１，Ｈ２が基板支持部に移動する際の搬送機構に関する教示動作について説明する。ここで、基板支持部は、例えば、キャリア１１３、基板載置部ＰＡＳＳ１〜ＰＡＳＳ９および載置兼バッファ部Ｐ−ＢＦ１，Ｐ−ＢＦ２の各々に設けられる。また、基板支持部は、例えば、冷却ユニットＣＰ、熱処理ユニットＰＨＰ、密着強化処理ユニットＰＡＨＰ、載置兼冷却部Ｐ−ＣＰおよび洗浄乾燥処理ユニットＳＤ１，ＳＤ２の各々に設けられる。さらに、基板支持部は、例えば、塗布処理ユニット１２９、現像処理ユニット１３９およびエッジ露光部ＥＥＷの各々に設けられる。
【０１１４】
教示動作としては、垂直方向の教示動作および水平方向の教示動作がある。以下の説明では、搬送機構１２７の教示動作を説明する。他の搬送機構１１５，１２８，１３７，１３８，１４１，１４２，１４６の教示動作も搬送機構１２７の教示動作と同様である。
【０１１５】
基板支持部により支持された基板Ｗの高さを基準高さと呼ぶ。搬送機構１２７のハンドＨ１が基板支持部に基板Ｗを渡し、または基板支持部から基板Ｗを受け取るためにハンドＨ１が基板支持部ＷＳの下方に移動したときのハンドＨ１の高さを目標高さと呼ぶ。垂直方向の教示動作により目標高さが決定される。
【０１１６】
また、基板支持部により基板Ｗが支持されるべき位置を基準位置と呼ぶ。水平方向の教示動作の前に搬送機構１２７のハンドＨ１により基板支持部に渡された基板Ｗの位置を仮目標位置と呼ぶ。水平方向の教示動作により基準位置と仮目標位置とのずれを示す補正情報が取得される。補正情報に基づいて仮目標位置が基準位置と一致するように仮目標位置が補正される。補正後の仮目標位置を真目標位置と呼ぶ。
【０１１７】
基板支持部が塗布処理ユニット１２９、現像処理ユニット１３９またはエッジ露光部ＥＥＷのスピンチャック２５，３５，９８である場合を除き、基板Ｗは、その中心が基準位置と一致するように基板支持部の案内機構により自動的に案内される。一方、基板支持部がスピンチャック２５，３５，９８である場合、基板Ｗは、その中心が基準位置と一致するとは限らない。
【０１１８】
以下の説明では、Ｘ方向、Ｙ方向およびＺ方向の位置をそれぞれＸ座標、Ｙ座標およびＺ座標で表わす。
【０１１９】
図８は、垂直方向の教示動作を説明するための図である。図８（ａ）〜（ｄ）は、基板支持部ＷＳおよび搬送機構１２７のハンドＨ１の略中央部の縦断面図を示す。図８（ａ）〜（ｄ）の例では、搬送機構１２７のハンドＨ１が基板支持部ＷＳの下方に移動する場合の目標高さが決定される。
【０１２０】
まず、図８（ａ）に示すように、基板支持部ＷＳにより基板Ｗが基準高さで支持される。次に、図８（ｂ）に示すように、制御部５００は、ハンドＨ１を進退基準位置から基板支持部ＷＳの下方の位置まで水平方向に移動させる。この時点では、ハンドＨ１の複数の吸着部ｓｍには基板Ｗが吸着されていない。そのため、吸着信号はオフ状態である。搬送機構１２７は、エンコーダを有する。制御部５００は、搬送機構１２７のエンコーダの出力信号に基づいてハンドＨ１の位置を常時検出している。
【０１２１】
続いて、制御部５００は、ハンドＨ１を上方に移動させる。この場合、図８（ｃ）に示すように、ハンドＨ１が上方に所定の距離だけ移動した時点で、複数の吸着部ｓｍが基板Ｗを吸着する。これにより、吸着信号がオン状態になる。制御部５００は、吸着信号がオン状態になった時点のハンドＨ１のＺ座標、または当該Ｚ座標に垂直方向の所定のオフセット量を加算した座標を目標高さのＺ座標として決定する。目標高さのＺ座標は、制御部５００のメモリ５２０に記憶される。その後、図８（ｄ）に示すように、制御部５００は、ハンドＨ１を基板支持部ＷＳの上方まで移動させた後、進退基準位置まで水平方向に移動させる。
【０１２２】
図９は、水平方向の教示動作を説明するための図である。図９（ａ）〜（ｃ）は、基板支持部ＷＳおよび搬送機構１２７のハンドＨ１の平面図を示す。図９（ａ）〜（ｃ）の例では、搬送機構１２７のハンドＨ１を用いて基板支持部ＷＳについての補正情報を取得する。
【０１２３】
まず、図９（ａ）に示すように、基板支持部ＷＳに基板Ｗが支持される。ここで、基板Ｗは、その中心が基準位置に正確に一致する状態で支持される。一方、水平方向の教示動作の前においては、制御部５００は基板支持部ＷＳの基準位置を認識していない。そのため、仮目標位置は基準位置と一致するとは限らない。
【０１２４】
以下、基準位置の座標を基準位置座標と呼び、仮目標位置の座標を仮目標位置座標と呼ぶ。また、ハンドＨ１上での正規位置の座標を正規位置座標と呼ぶ。基準位置座標は（Ｘｗ，Ｙｗ）であり、仮目標位置座標は（Ｘｂ，Ｙｂ）であり、正規位置座標は（Ｘｒ，Ｙｒ）である。仮目標位置座標は、制御部５００のメモリ５２０に記憶されている。図９（ａ）の例では、基準位置座標（Ｘｗ，Ｙｗ）と仮目標位置座標（Ｘｂ，Ｙｂ）とは一致していない。
【０１２５】
図９（ａ）の状態で、制御部５００は、図示しない複数のリフトピンを基板支持部ＷＳの下方から上方に上昇させることにより、基板Ｗを基板支持部ＷＳの上方に上昇させる。次に、ハンドＨ１の正規位置が仮目標位置と一致するようにハンドＨ１を進退基準位置から水平方向に移動させる。この時点で、ハンドＨ１は基板支持部ＷＳの上方でかつ基板Ｗの下方に位置する。
【０１２６】
続いて、制御部５００は、図示しない複数のリフトピンを下降させることにより、基板Ｗを下降させる。これにより、図９（ｂ）に示すように、基板ＷがハンドＨ１の複数の吸着部ｓｍに吸着される。この場合、基板Ｗは、その中心が正規位置からずれた状態でハンドＨ１により保持される。
【０１２７】
その後、図９（ｃ）に示すように、制御部５００は、ハンドＨ１を進退基準位置まで水平方向に移動させる。ここで、図５および図６の回転部材３１５上でハンドＨ１がセンサ装置３１６よりも前方の位置から進退基準位置まで後退することによりハンドＨ１に保持された基板Ｗの外周部の複数の部分がそれぞれ検出される。ハンドＨ１に保持された基板Ｗの外周部の検出方法についての詳細は後述する。
【０１２８】
制御部５００は、基板Ｗの外周部の複数の部分の検出結果に基づいて、ハンドＨ１における基板Ｗの中心の位置（以下、検出位置と呼ぶ）を検出する。以下、検出位置の座標を検出位置座標と呼ぶ。検出位置座標は（Ｘｗｈ，Ｙｗｈ）である。次に、下記式（１），（２）に基づいて、Ｘ方向およびＹ方向における仮目標位置座標に対する基準位置座標のずれ（ΔＸ，ΔＹ）を補正情報として算出する。
【０１２９】
ΔＸ＝Ｘｒ−Ｘｗｈ                                              （１）
ΔＹ＝Ｙｒ−Ｙｗｈ                                              （２）
続いて、制御部５００は、下記式（３），（４）に基づいて、真目標位置の座標（以下、真目標位置座標と呼ぶ。）を算出する。真目標位置座標は（Ｘｒｂ，Ｙｒｂ）である。真目標位置座標は（Ｘｒｂ，Ｙｒｂ）は、制御部５００のメモリ５２０に記憶される。
【０１３０】
Ｘｒｂ＝Ｘｂ−ΔＸ                                              （３）
Ｙｒｂ＝Ｙｂ−ΔＹ                                              （４）
これにより、真目標位置座標（Ｘｒｂ，Ｙｒｂ）は基準位置座標（Ｘｗ，Ｙｗ）と一致する。
【０１３１】
基板Ｗの処理時には、制御部５００は、ハンドＨ１が真目標位置に移動するように搬送機構１２７を制御する。その結果、基板Ｗの中心が基板支持部ＷＳの基準位置と一致するようにハンドＨ１により基板Ｗが基板支持部ＷＳに渡される。また、ハンドＨ１の正規位置に基板Ｗが保持されるようにハンドＨ１により基板支持部ＷＳから基板Ｗが受け取られる。
【０１３２】
上記の例では、搬送機構１２７のハンドＨ１を用いた教示動作について説明したが、ハンドＨ２を用いた教示動作も、ハンドＨ１を用いた教示動作と同様である。また、搬送機構１１５，１２８，１３７，１３８，１４１，１４２，１４６は、搬送機構１２７と同様の構成および動作を有する。そのため、搬送機構１１５，１２８，１３７，１３８，１４１，１４２，１４６を用いた教示動作も、搬送機構１２７を用いた教示動作と同様である。
【０１３３】
（８）基板の外周部の検出方法
図１０は、図５および図６のセンサ装置３１６による基板Ｗの外周部の複数の部分の検出方法を説明するための図である。図１０（ａ），（ｃ），（ｅ），（ｇ）に、ハンドＨ１が進退基準位置に向かって後退する場合のハンドＨ１、回転部材３１５および複数の検出器３１６Ｄの状態の変化が平面図で示される。図１０（ｂ），（ｄ），（ｆ），（ｈ）に、図１０（ａ），（ｃ），（ｅ），（ｇ）のＱ−Ｑ線における模式的断面図がそれぞれ示される。なお、ハンドＨ２についての説明は省略する。
【０１３４】
初めに、ハンドＨ１により基板Ｗが受け取られるタイミングでは、ハンドＨ１が４つの検出器３１６Ｄよりも前方に位置する。この場合、ハンドＨ１は４つの投光部３１６ｔと４つの受光部３１６ｒとの間に位置しない。したがって、４つの受光部３１６ｒはそれぞれ対向する４つの投光部３１６ｔからの光を受光する。それにより、制御部５００に受光信号が与えられる。
【０１３５】
次に、ハンドＨ１が後退する。この場合、図１０（ａ），（ｂ）に示すように、ハンドＨ１が４つの投光部３１６ｔと４つの受光部３１６ｒとの間の空間に進入する。このとき、４つの投光部３１６ｔから出射される光がハンドＨ１により遮られるので、４つの受光部３１６ｒはそれぞれ対向する４つの投光部３１６ｔからの光を受光しない。したがって、制御部５００に受光信号は与えられない。
【０１３６】
次に、図１０（ｃ），（ｄ）に示すように、ハンドＨ１が４つの投光部３１６ｔと４つの受光部３１６ｒとの間の空間を通過する。ハンドＨ１が各投光部３１６ｔとその投光部３１６ｔに対向する受光部３１６ｒとの間の空間を通過するタイミングで、各受光部３１６ｒは対向する投光部３１６ｔからの光を受光する。それにより、制御部５００に受光信号が与えられる。
【０１３７】
次に、図１０（ｅ），（ｆ）に示すように、ハンドＨ１により保持される基板Ｗが４つの投光部３１６ｔと４つの受光部３１６ｒとの間の空間に進入する。ハンドＨ１により保持される基板Ｗの外周部が各投光部３１６ｔとその投光部３１６ｔに対向する受光部３１６ｒとの間の空間に進入するタイミングで、各投光部３１６ｔから出射される光が基板Ｗの外周部により遮られる。この場合、各受光部３１６ｒは対向する投光部３１６ｔからの光を受光しない。したがって、制御部５００に受光信号は与えられない。
【０１３８】
次に、図１０（ｇ），（ｈ）に示すように、ハンドＨ１が進退基準位置で停止する。このとき、ハンドＨ１により保持される基板Ｗが４つの投光部３１６ｔと４つの受光部３１６ｒとの間の空間に位置する。この場合、４つの受光部３１６ｒはそれぞれ対向する４つの投光部３１６ｔからの光を受光しない。したがって、制御部５００に受光信号は与えられない。
【０１３９】
上記のように、ハンドＨ１により基板Ｗが受け取られた後、ハンドＨ１が進退基準位置に移動するまでの間に、制御部５００には４つの検出器３１６Ｄの４つの受光部３１６ｒからそれぞれ断続的に受光信号が与えられる。
【０１４０】
基板Ｗの外周部により４つの受光部３１６ｒの各々から受光信号が与えられなくなるタイミング（図１０（ｅ），（ｆ）のタイミング）に基づいて、基板Ｗの外周部の４つの部分が検出される。ここで、制御部５００のメモリ５２０には、正規データが予め記憶されている。正規データは、基板Ｗの中心がハンドＨ１の正規位置にある状態で、ハンドＨ１がセンサ装置３１６の前方の位置から進退基準位置に移動したときに得られる基板Ｗの外周部の４つの部分の検出結果を示すデータである。
【０１４１】
センサ装置３１６は回転部材３１５に対して固定されている。したがって、センサ装置３１６の複数の検出器３１６Ｄの座標上の位置は変化しない。そこで、制御部５００は、基板Ｗの外周部の４つの部分の検出結果と正規データの４つの部分の検出結果との差分に基づいて、ハンドＨ１が進退基準位置にあるときの基板Ｗの外周部の４つの部分の位置を示す座標を算出する。算出された４つの部分の位置の座標に基づいて、ハンドＨ１が進退基準位置にあるときの基板Ｗの中心の位置の座標が算出される。
【０１４２】
ハンドＨ１における基板Ｗの中心の位置の座標は、基板Ｗの外周部の３つの部分の座標に基づいて算出することができる。本例では、基板Ｗの外周部の４つの部分の座標が得られる。それにより、例えば４つの部分のうちの１つの部分が基板Ｗの位置決め用の切り欠き（オリエンテーションフラットまたはノッチ）部分であった場合でも、切り欠き部分の座標を除く３つの部分の座標に基づいて基板Ｗの中心の位置の座標を算出することができる。基板Ｗの外径が既知である場合には、基板Ｗの外周部の２つの部分の座標に基づいて基板Ｗの中心の位置の座標を算出することが可能である。この場合、センサ装置３１６は、２つまたは３つの検出器３１６Ｄにより構成されてもよい。
【０１４３】
（９）基板支持部の基準位置
上記のように、教示動作においては、基板支持部ＷＳがスピンチャック２５，３５，９８である場合を除き、基板Ｗは、その中心が基板支持部ＷＳの基準位置に正確に一致する状態で支持される。基準位置は、基板支持部ＷＳの種類によって異なる。以下、基板支持部ＷＳの基準位置を説明する。
【０１４４】
（ａ）キャリア
図１１は、基板支持部ＷＳがキャリア１１３に設けられる場合における基準位置を説明するための図である。図１１の例においては、キャリア１１３はＦＯＵＰ（front opening unified pod）である。キャリア１１３は、ＦＯＵＰに代えて、ＳＭＩＦ（Standard Mechanical Inter Face）ポッドまたは収納基板Ｗを外気に曝すＯＣ（open cassette）等であってもよい。
【０１４５】
図１１（ａ）〜（ｃ）に示すように、キャリア１１３は、前面が開口したケーシング部１１３ａと、ケーシング部１１３ａの開口を開閉可能に設けられた蓋部１１３ｂにより構成される。図１１（ａ）は、蓋部１１３ｂが閉状態である場合のキャリア１１３の模式的側面図を示す。図１１（ａ）に示すように、蓋部１１３ｂが閉状態である場合には、複数の基板Ｗが、その外周部が揃った状態で縦方向に整列するようにケーシング部１１３ａ内に収納される。本例では、ケーシング部１１３ａが基板支持部ＷＳである。また、ケーシング部１１３ａの側壁および蓋部１１３ｂが案内機構を構成する。
【０１４６】
図１１（ｂ），（ｃ）は、蓋部１１３ｂが開状態である場合のキャリア１１３の模式的側面図を示す。蓋部１１３ｂが開状態である場合において、正常時には、図１１（ｂ）に示すように、複数の基板Ｗの配置に変化がない。この場合、いずれか１つの基板Ｗの中心の初期位置が基準位置となる。
【０１４７】
一方、蓋部１１３ｂが開状態である場合において、異常時には、図１１（ｃ）に示すように、一部の基板Ｗの配置が変化することがある。そのため、一部の基板Ｗが他の基板よりも前方に突出するように移動することがある。この場合、制御部５００は、図１の搬送機構１１５を用いて複数の基板Ｗをケーシング部１１３ａから取り出すとともに、取り出した複数の基板Ｗの検出位置を上記の方法により取得する。取得された複数の基板Ｗの検出位置の平均値、最大値または最小値等から選択された位置が基準位置となる。
【０１４８】
（ｂ）基板載置部
図１２は、基板支持部ＷＳが基板載置部ＰＡＳＳ１〜ＰＡＳＳ９に設けられる場合における基準位置を説明するための図である。図１２は、搬送機構１２７，１３７および基板載置部ＰＡＳＳ５の模式的平面図を示す。基板載置部ＰＡＳＳ５は３つ以上の支持ピンｓｐを有する。図１２の例においては、基板載置部ＰＡＳＳ５の支持ピンｓｐが基板支持部ＷＳである。基板載置部ＰＡＳＳ５を介して搬送機構１２７から搬送機構１３７に基板Ｗが搬送されることを考える。基板載置部ＰＡＳＳ１〜ＰＡＳＳ４，ＰＡＳＳ６〜ＰＡＳＳ９における基準位置は、以下の基板載置部ＰＡＳＳ５における基準位置と同様である。
【０１４９】
図１２に示すように、制御部５００は、搬送機構１２７により基板載置部ＰＡＳＳ５の支持ピンｓｐに基板Ｗを載置する。ここで、基板載置部ＰＡＳＳ５に載置される基板Ｗの中心は仮目標位置である。搬送機構１２７に対応付けられた基板載置部ＰＡＳＳ５における仮目標位置座標を（Ｘｂ１，Ｙｂ１）とする。この場合、仮目標位置座標（Ｘｂ１，Ｙｂ１）が、搬送機構１３７に対応付けられた基板載置部ＰＡＳＳ５における基準位置座標（Ｘｗ２，Ｙｗ２）とみなされる。すなわち、搬送機構１２７に対応付けられた基板載置部ＰＡＳＳ５における仮目標位置が、搬送機構１３７に対応付けられた基板載置部ＰＡＳＳ５における基準位置とみなされる。
【０１５０】
（ｃ）載置兼バッファ部
図４の載置兼バッファ部Ｐ−ＢＦ１，Ｐ−ＢＦ２は、基板載置部ＰＡＳＳ１〜ＰＡＳＳ９と同様の基板載置部としての機能と、基板Ｗを一時的に収容するバッファ部としての機能とを有する。載置兼バッファ部Ｐ−ＢＦ１，Ｐ−ＢＦ２が基板載置部として機能する場合における基準位置は、基板載置部ＰＡＳＳ１〜ＰＡＳＳ９における基準位置と同様である。
【０１５１】
一方、載置兼バッファ部Ｐ−ＢＦ１，Ｐ−ＢＦ２がバッファ部として機能する場合には、同一の搬送機構（搬送機構１４１，１４２のいずれか一方）により載置兼バッファ部Ｐ−ＢＦ１，Ｐ−ＢＦ２に基板Ｗが搬入および搬出される。そのため、載置兼バッファ部Ｐ−ＢＦ１，Ｐ−ＢＦ２への基板Ｗの搬入前および搬出後における搬送機構１４１，１４２の図示しないハンド上の基板Ｗの位置は変化しない。したがって、載置兼バッファ部Ｐ−ＢＦ１，Ｐ−ＢＦ２におけるいずれの位置が基準位置であってもよい。
【０１５２】
（ｄ）冷却ユニット、熱処理ユニット、密着強化処理ユニットまたは載置兼冷却部
図１３は、熱処理ユニットＰＨＰの斜視図である。図１４は、図１３の熱処理ユニットＰＨＰの平面図である。図１５は、図１３の熱処理ユニットＰＨＰの側面図である。図１３および図１４に示すように、熱処理ユニットＰＨＰは、冷却部４１０、加熱部４２０および搬送機構４３０を含む。冷却部４１０および加熱部４２０は、並ぶように配置されている。搬送機構４３０は、冷却部４１０と加熱部４２０との間で基板Ｗを搬送可能に配置される。
【０１５３】
冷却部４１０は、基板載置プレート４１１および昇降可能な複数（本例では３つ）の支持ピン４１２を含む。基板載置プレート４１１は、例えばクーリングプレートである。基板載置プレート４１１には、複数（本例では３つ）の支持ピン挿入孔が形成されている。後述する搬送機構４３０の搬送アーム４３４が基板載置プレート４１１の上面に接触することにより、搬送アーム４３４により保持される基板Ｗを搬送アーム４３４とともに冷却することができる。
【０１５４】
複数の支持ピン４１２は、上下方向に移動することにより基板載置プレート４１１の複数の支持ピン挿入孔にそれぞれ挿入可能に配置される。冷却部４１０への基板Ｗの搬入時および搬出時には、複数の支持ピン４１２の上端部がそれぞれ複数の支持ピン挿入孔を通して基板載置プレート４１１の上方の位置と基板載置プレート４１１の上面よりも下方の位置との間で移動する。
【０１５５】
加熱部４２０は、基板載置プレート４２１、昇降可能な複数（本例では３つ）の支持ピン４２２および複数（本例では６つ）のガイド部材４２３を含む。基板載置プレート４２１は、例えば基板Ｗに加熱処理を行うホットプレートである。基板載置プレート４２１には、複数（本例では３つ）の支持ピン挿入孔が形成されている。複数の支持ピン４２２は、複数の支持ピン４１２と同様の構成を有する。
【０１５６】
複数のガイド部材４２３は、基板載置プレート４２１の縁に沿って略等間隔で設けられる。本例では、６個のガイド部材４２３が略６０°間隔で設けられる。図１３に示すように、各ガイド部材４２３は円錐台形状を有する。複数のガイド部材４２３により囲まれる領域に基板Ｗが配置される場合、ガイド部材４２３の傾斜した側面に沿って基板Ｗが下方に導かれる。これにより、基板載置プレート４２１の中心と基板Ｗの中心とが一致する。
【０１５７】
搬送機構４３０は、上下方向に延びるように設けられた２本の長尺状のガイドレール４３１，４３２を備える。ガイドレール４３１，４３２は、冷却部４１０および加熱部４２０を挟んで対向するように配置される。ガイドレール４３１とガイドレール４３２との間には、長尺状のガイドレール４３３が設けられる。ガイドレール４３３は、上下動可能にガイドレール４３１，４３２に取り付けられる。ガイドレール４３３に搬送アーム４３４が取り付けられる。搬送アーム４３４は、ガイドレール４３３の長手方向に移動可能に設けられる。
【０１５８】
図１３および図１４に示すように、搬送アーム４３４には、冷却部４１０の複数の支持ピン４１２および加熱部４２０の複数の支持ピン４２２と干渉しないように切り込み（スリット）４３５が設けられている。また、搬送アーム４３４には、複数のガイド部材４３６が設けられる。複数のガイド部材４３６は、複数のガイド部材４２３と同様の構成を有する。基板処理時には、搬送アーム４３４は、冷却部４１０と加熱部４２０との間で基板Ｗを搬送する。本例では、搬送アーム４３４が基板支持部ＷＳであり、複数のガイド部材４３６が案内機構である。
【０１５９】
図１６は、基板支持部ＷＳが熱処理ユニットＰＨＰに設けられる場合における基準位置を説明するための図である。以下、熱処理ユニットＰＨＰの搬送アーム４３４が基板支持部ＷＳである場合における基準位置を説明する。冷却ユニットＣＰ、密着強化処理ユニットＰＡＨＰおよび載置兼冷却部Ｐ−ＣＰにおける基準位置は、熱処理ユニットＰＨＰにおける基準位置と同様である。
【０１６０】
教示動作時には、まず、図１６（ａ）に示すように、冷却部４１０の複数の支持ピン４１２が上昇する。次に、図１６（ｂ）に示すように、搬送機構１２７はハンドＨ１により基板Ｗを保持し、上昇した複数の支持ピン４１２の上端に搬送する。これにより、基板Ｗは、その中心が仮目標位置にある状態で、複数の支持ピン４１２により支持される。
【０１６１】
その後、図１６（ｃ）に示すように、複数の支持ピン４１２が下降する。ここで、仮目標位置と基準位置とが一致していない場合、図１６（ｃ）に矢印で示すように、搬送アーム４３４上の複数のガイド部材４３６の傾斜した側面に沿って、基板Ｗが下方に導かれる。これにより、搬送アーム４３４の中心と基板Ｗの中心とが一致する。
【０１６２】
次に、図１６（ｄ）に示すように、複数の支持ピン４１２が上昇する。続いて、図１６（ｅ）に示すように、搬送機構１２７はハンドＨ１により複数の支持ピン４１２から基板Ｗを受け取る。図１６（ｄ）において、複数の支持ピン４１２により支持された基板Ｗの中心の位置が基準位置となる。すなわち、複数のガイド部材４３６により導かれた基板Ｗの中心の位置が基準位置となる。
【０１６３】
（ｅ）洗浄乾燥処理ユニット
図１７は、洗浄乾燥処理ユニットＳＤ１の構成を示す図である。図１７（ａ），（ｂ）はそれぞれ洗浄乾燥処理ユニットＳＤ１の側面図および平面図を示す。洗浄乾燥処理ユニットＳＤ２は、洗浄乾燥処理ユニットＳＤ１と同様の構成を有する。
【０１６４】
図１７（ａ）に示すように、洗浄乾燥処理ユニットＳＤ１は、基板Ｗを水平に保持して垂直方向の回転軸６１１ａの周りで回転させるスピンチャック６１０を備える。スピンチャック６１０は、スピンモータ６１１、円板状のスピンプレート６１２、プレート支持部材６１３、マグネットプレート６１４ａ，６１４ｂおよび複数のチャックピン６１５を含む。
【０１６５】
図１７（ａ）に示すように、スピンモータ６１１の回転シャフトの下端部にはプレート支持部材６１３が取り付けられている。プレート支持部材６１３によりスピンプレート６１２が水平に支持されている。スピンモータ６１１によりスピンプレート６１２が鉛直方向の回転軸６１１ａの周りで回転する。
【０１６６】
スピンモータ６１１およびプレート支持部材６１３には、液供給管６１０ａが挿通されている。液供給管６１０ａを通して、スピンチャック６１０により保持される基板Ｗ上に洗浄液を供給することができる。洗浄液としては、例えば純水が用いられる。
【０１６７】
スピンプレート６１２の周縁部には、４つの以上（本例では４つ）のチャックピン６１５が回転軸６１１ａに関して等角度間隔で設けられている。各チャックピン６１５は、軸部６１５ａ、ピン支持部６１５ｂ、保持部６１５ｃおよびマグネット６１６を含む。スピンプレート６１２を貫通するように軸部６１５ａが設けられ、軸部６１５ａの下端部に水平方向に延びるピン支持部６１５ｂが接続されている。ピン支持部６１５ｂの先端部から下方に突出するように保持部６１５ｃが設けられている。また、スピンプレート６１２の上面側において、軸部６１５ａの上端部にマグネット６１６が取り付けられている。
【０１６８】
各チャックピン６１５は、軸部６１５ａを中心に鉛直軸の周りで回転可能であり、保持部６１５ｃが基板Ｗの外周端部に当接する閉状態と、保持部６１５ｃが基板Ｗの外周端部から離間する開状態とに切替可能である。本例では、マグネット６１６のＮ極が内側にある場合に各チャックピン６１５が閉状態となり、マグネット６１６のＳ極が内側にある場合に各チャックピン６１５が開状態となる。
【０１６９】
スピンプレート６１２の上方には、回転軸６１１ａを中心とする周方向に沿ってマグネットプレート６１４ａ，６１４ｂが配置される。マグネットプレート６１４ａ，６１４ｂは、外側にＳ極を有し、内側にＮ極を有する。マグネットプレート６１４ａ，６１５ｂは、マグネット昇降機構（図示せず）によりそれぞれ独立に昇降し、チャックピン６１５のマグネット６１６よりも高い上方位置とチャックピン６１５のマグネット６１６とほぼ等しい高さの下方位置との間で移動する。マグネットプレート６１４ａ，６１４ｂの昇降により、後述するように、各チャックピン６１５が開状態と閉状態とに切り替えられる。
【０１７０】
図１７（ａ）に示すように、洗浄乾燥処理ユニットＳＤ１の下部には、スピンチャック６１０により保持される基板Ｗの外周端部および裏面を洗浄するための洗浄ブラシ６３０が設けられている。洗浄ブラシ６３０は略円柱形状を有し、外周面には断面Ｖ字状の溝６３５が形成されている。洗浄ブラシ６３０はブラシ保持部材６３１により保持されている。ブラシ保持部材６３１がブラシ移動機構（図示せず）により駆動されることにより、洗浄ブラシ６３０が水平方向および鉛直方向に移動する。
【０１７１】
洗浄ブラシ６３０の近傍におけるブラシ保持部材６３１の部分には洗浄ノズル６３３が取り付けられている。洗浄ノズル６３３には洗浄液が供給される液供給管（図示せず）が接続されている。洗浄ノズル６３３の吐出口は洗浄ブラシ６３０周辺に向けられており、吐出口から洗浄ブラシ６３０周辺に向けて洗浄液が吐出される。
【０１７２】
図１７（ｂ）に示すように、３つ以上（本例では６つ）の基板受け渡し機構６２０がスピンチャック６１０の回転軸６１１ａを中心として等角度間隔で配置されている。各基板受け渡し機構６２０は、昇降回転駆動部６２１、回転軸６２２、アーム６２３および保持ピン６２４を含む。昇降回転駆動部６２１から上方に延びるように回転軸６２２が設けられ、回転軸６２２の上端部から水平方向に延びるようにアーム６２３が連結されている。アーム６２３の先端部に、基板Ｗの外周端部を保持するための保持ピン６２４が設けられている。
【０１７３】
図１７（ａ）に示すように、各保持ピン６２４の先端の内側面は傾斜部分を有する。昇降回転駆動部６２１により、回転軸６２２が昇降動作および回転動作を行う。それにより、保持ピン６２４が水平方向および上下方向に移動する。本例では、保持ピン６２４が基板支持部ＷＳであり、保持ピン６２４の傾斜部分が案内機構である。
【０１７４】
次に、図１７および図１８を参照しながら洗浄乾燥処理ユニットＳＤ１の動作を説明する。図１８は、洗浄乾燥処理ユニットＳＤ１の動作を説明するための模式図である。まず、図１７（ａ）に示すように、複数の保持ピン６２４上に図１の搬送機構１４１により基板Ｗが載置される。
【０１７５】
このとき、マグネットプレート６１４ａ，６１４ｂは上方位置にある。この場合、マグネットプレート６１４ａ，６１４ｂの磁力線Ｂは、チャックピン６１５のマグネット６１６の高さにおいて内側から外側に向かう。それにより、各チャックピン６１５のマグネット６１６のＳ極が内側に吸引される。したがって、各チャックピン６１５は開状態となる。続いて、複数の保持ピン６２４が基板Ｗを保持した状態で上昇する。これにより、基板Ｗが複数のチャックピン６１５の保持部６１５ｃの間に移動する。
【０１７６】
続いて、図１８（ａ）に示すように、マグネットプレート６１４ａ，６１４ｂが下方位置に移動する。この場合、各チャックピン６１５のマグネット６１６のＮ極が内側に吸引される。それにより、各チャックピン６１５が閉状態となり、各チャックピン６１５の保持部６１５ｃにより基板Ｗの外周端部が保持される。その後、複数の保持ピン６２４がガード６１８の外方に移動する。
【０１７７】
基板Ｗの表面洗浄処理時には、図１８（ｂ）に示すように、スピンチャック６１０により基板Ｗが回転する状態で、液供給管６１０ａを通して基板Ｗの表面に洗浄液が供給される。洗浄液は遠心力により基板Ｗの表面の全体に広がり、外方に飛散する。これにより、基板Ｗの表面に付着する塵埃等が洗い流される。また、基板Ｗ上のレジスト膜等の膜の成分の一部が洗浄液中に溶出し、洗い流される。
【０１７８】
基板Ｗの裏面洗浄処理時には、図１８（ｃ）に示すように、スピンチャック６１０により基板Ｗが回転する状態で、洗浄ブラシ６３０が基板Ｗの下方に移動する。そして、洗浄ブラシ６３０の上面と基板Ｗの裏面とが接触する状態で、洗浄ブラシ６３０が基板Ｗの中心部下方と周縁部下方との間で移動する。基板Ｗと洗浄ブラシ６３０との接触部分には、洗浄ノズル６３３から洗浄液が供給される。これにより、基板Ｗの裏面の全体が洗浄ブラシ６３０により洗浄され、基板Ｗの裏面に付着する汚染物が取り除かれる。
【０１７９】
基板Ｗの端部洗浄処理時には、図１８（ｄ）に示すように、マグネットプレート６１４ａが下方位置に配置され、マグネットプレート６１４ｂが上方位置に配置される。その状態で、スピンチャック６１０により基板Ｗが回転する。
【０１８０】
この場合、マグネットプレート６１４ａの外方領域Ｒ１（図１７（ｂ）参照）においては各チャックピン６１５が閉状態となり、マグネットプレート６１４ｂの外方領域Ｒ２（図１７（ｂ）参照）においては各チャックピン６１５が開状態となる。すなわち、各チャックピン６１５の保持部６１５ｃは、マグネットプレート６１４ａの外方領域Ｒ１を通過する際に基板Ｗの外周端部に接触した状態で維持され、マグネットプレート６１４ｂの外方領域Ｒ２を通過する際に基板Ｗの外周端部から離間する。
【０１８１】
洗浄ブラシ６３０が、外方領域Ｒ２においてチャックピン６１５の保持部６１５ｃと基板Ｗの外周端部との間に移動する。そして、洗浄ブラシ６３０の溝６３５が、基板Ｗの外周端部に押し当てられる。洗浄ブラシ６３０と基板Ｗとの接触部分には、洗浄ノズル６３３（図１８（ｃ））から洗浄液が供給される。これにより、基板Ｗの外周端部の全体が洗浄され、基板Ｗの外周端部に付着する汚染物が取り除かれる。
【０１８２】
上記の表面洗浄処理、裏面洗浄処理および端部洗浄処理の後には、基板Ｗの乾燥処理が行われる。この場合、マグネットプレート６１４ａ，６１５ｂが下方位置に配置され、全てのチャックピン６１５により基板Ｗが保持される。その状態で、スピンチャック６１０により基板Ｗが高速で回転する。それにより、基板Ｗに付着する洗浄液が振り切られ、基板Ｗが乾燥する。
【０１８３】
図１９は、基板支持部ＷＳが洗浄乾燥処理ユニットＳＤ１に設けられる場合における基準位置を説明するための図である。以下、洗浄乾燥処理ユニットＳＤ１の保持ピン６２４が基板支持部ＷＳである場合における基準位置を説明する。洗浄乾燥処理ユニットＳＤ２における基準位置は、洗浄乾燥処理ユニットＳＤ１における基準位置と同様である。
【０１８４】
教示動作時には、まず、図１９（ａ）に示すように、搬送機構１４１は、ハンドＨ１により基板Ｗを保持し、洗浄乾燥処理ユニットＳＤ１の複数の保持ピン６２４の上方に搬送する。これにより、基板Ｗは、その中心が複数の保持ピン６２４の上方における仮目標位置に一致した状態でハンドＨ１により保持される。
【０１８５】
次に、図１９（ｂ）に示すように、複数の保持ピン６２４が上昇する。ここで、仮目標位置と基準位置とが一致していない場合、図１９（ｃ）に矢印で示すように、複数の保持ピン６２４の傾斜した側面に沿って、基板Ｗが複数の保持ピン６２４の中心に導かれる。これにより、複数の保持ピン６２４の中心と基板Ｗの中心とが一致する。
【０１８６】
続いて、図１９（ｄ）に示すように、搬送機構１４１はハンドＨ１により複数の保持ピン６２４から基板Ｗを受け取る。図１９（ｃ）において、複数の保持ピン６２４により支持された基板Ｗの中心の位置が基準位置となる。すなわち、複数の保持ピン６２４により導かれた基板Ｗの中心の位置が基準位置となる。
【０１８７】
（１０）スピンチャックにおける教示動作
スピンチャック２５，３５，９８が基板支持部ＷＳである場合において、スピンチャック２５，３５，９８の回転中心の位置が既知である場合には、回転中心の位置を基準位置として水平方向の教示動作が行われてもよい。一方で、スピンチャック２５，３５，９８の回転中心の位置が未知である場合には、以下の手順により水平方向の教示動作が行われてもよい。
【０１８８】
図２０は、スピンチャック２５，３５，９８が基板支持部ＷＳである場合における水平方向の教示動作を説明するための図である。図２０（ａ）〜（ｄ）は、搬送機構１２７およびスピンチャック２５の模式的平面図を示す。図２０の例においては、基板支持部ＷＳはスピンチャック２５である。スピンチャック３５，９８における教示動作は、スピンチャック２５における教示動作と同様である。
【０１８９】
まず、図２０（ａ）に示すように、搬送機構１２７はハンドＨ１により正規位置に基板Ｗを保持する。ここで、基板Ｗの中心の座標を算出する。算出された基板Ｗの中心の座標は（Ｘ１，Ｙ１）である。次に、図２０（ｂ）に示すように、搬送機構１２７は基板Ｗをスピンチャック２５に搬送する。スピンチャック２５は、基板Ｗの中心が仮目標位置に一致すように基板Ｗを保持する。続いて、図２０（ｃ）に示すように、スピンチャック２５は、基板Ｗを所定の角度だけ回転させる。スピンチャック２５による基板Ｗの回転角度は１８０°であることが好ましい。
【０１９０】
その後、図２０（ｄ）に示すように、搬送機構１２７は、基板Ｗをスピンチャック２５から受け取る。ここで、基板Ｗの中心の座標を算出する。算出された基板Ｗの中心の座標は（Ｘ２，Ｙ２）である。次に、算出された座標（Ｘ１，Ｙ１）および座標（Ｘ２，Ｙ２）に基づいて、仮目標位置座標に対する基準位置座標のずれ（ΔＸ，ΔＹ）を算出する。ここで、図２０（ｂ），（ｃ）の処理において、基板Ｗの回転角度が１８０°であった場合には、仮目標位置座標に対する基準位置座標のずれ（ΔＸ，ΔＹ）は下記式（５），（６）により与えられる。
【０１９１】
ΔＸ＝（Ｘ１＋Ｘ２）／２                                        （５）
ΔＹ＝（Ｙ１＋Ｙ２）／２                                        （６）
続いて、真目標位置座標（Ｘｒｂ，Ｙｒｂ）を算出する。Ｘ方向における真目標位置Ｘｒｂは、下記式（７）で与えられる。ここで、Ｘ１＜Ｘ２である場合には正号が適用され、Ｘ１＞Ｘ２である場合には負号が適用される。また、Ｙ方向における真目標位置Ｙｒｂは、下記式（８）で与えられる。ここで、Ｙ１＜Ｙ２である場合には正号が適用され、Ｙ１＞Ｙ２である場合には負号が適用される。算出された真目標位置座標（Ｘｒｂ，Ｙｒｂ）は、補正情報として制御部５００のメモリ５２０に記憶される。
【０１９２】
Ｘｒｂ＝Ｘｂ±ΔＸ                                              （７）
Ｙｒｂ＝Ｙｂ±ΔＹ                                              （８）
上記の例では、搬送機構１２７のハンドＨ１を用いた教示動作について説明したが、ハンドＨ２を用いた教示動作も、ハンドＨ１を用いた動作と同様である。また、搬送機構１２８，１３７，１３８を用いた教示動作も、搬送機構１２７を用いた教示動作と同様である。
【０１９３】
（１１）搬送機構の一制御例
搬送機構１２７においては、センサ装置３１６により、ハンドＨ１により保持される基板Ｗの外周部が検出される。また、センサ装置３１６により、ハンドＨ２により保持される基板Ｗの外周部が検出される。
【０１９４】
図２１および図２２は、１つのセンサ装置３１６により２つのハンドＨ１，Ｈ２に保持される２枚の基板Ｗの外周部を検出するための搬送機構１２７の一制御例を示す図である。図２１（ａ）〜（ｅ）および図２２（ａ）〜（ｃ）においては、ハンドＨ１，Ｈ２および１の検出器３１６Ｄの位置関係が縦断面図で示される。
【０１９５】
初期状態では、ハンドＨ１，Ｈ２にはそれぞれ基板Ｗが保持されていない。また、ハンドＨ１，Ｈ２は進退基準位置ＦＢＰにある。この場合、受光部３１６ｒは投光部３１６ｔから出射されかつハンドＨ１，Ｈ２のガイド部Ｈａ（図６（ａ），（ｂ）参照）の内側を通過する光を受光する。
【０１９６】
図２１（ａ）に示すように、まず下側のハンドＨ２が進退基準位置ＦＢＰから検出器３１６Ｄの前方へ前進し、所定の位置に配置された基板Ｗを受け取る。このとき、受光部３１６ｒは投光部３１６ｔから出射される光を受光する。
【０１９７】
次に、基板Ｗを保持するハンドＨ２が進退基準位置ＦＢＰに向かって後退する。この場合、図２１（ｂ）に示すように、ハンドＨ２が進退基準位置ＦＢＰに移動するまでの間に、受光部３１６ｒは投光部３１６ｔから出射されかつ基板Ｗの外周部とハンドＨ２との間を通過する光を受光する。その後、ハンドＨ２が進退基準位置ＦＢＰに到達すると、ハンドＨ２により保持される基板Ｗが投光部３１６ｔと受光部３１６ｒとの間に位置する。それにより、図２１（ｃ）に示すように、受光部３１６ｒは対応する投光部３１６ｔからの光を受光しない。
【０１９８】
上記のようにハンドＨ２が移動する。それにより、受光部３１６ｒから出力される受光信号に基づいてハンドＨ２により保持される基板Ｗの外周部の複数の部分が検出される。
【０１９９】
続いて、図２１（ｄ）に示すように、上側のハンドＨ１が進退基準位置ＦＢＰから検出器３１６Ｄの前方へ前進し、所定の位置に配置された基板Ｗを受け取る。このとき、投光部３１６ｔから出射される光は、ハンドＨ２により保持される基板Ｗにより遮られる。したがって、受光部３１６ｒは投光部３１６ｔから出射される光を受光しない。
【０２００】
次に、図２１（ｅ）に示すように、基板Ｗを保持するハンドＨ１が進退基準位置ＦＢＰに向かって後退するとともに、基板Ｗを保持するハンドＨ２が進退基準位置ＦＢＰから前進する。その後、図２２（ａ）に示すように、ハンドＨ２が投光部３１６ｔおよび受光部３１６ｒよりも前方に移動する。このようにして、ハンドＨ１が進退基準位置ＦＢＰに移動するまでの間に、受光部３１６ｒは投光部３１６ｔから出射されかつ基板Ｗの外周部とハンドＨ２との間を通過する光を受光する。
【０２０１】
ハンドＨ１が進退基準位置ＦＢＰまで移動すると、ハンドＨ１により保持される基板Ｗが投光部３１６ｔと受光部３１６ｒとの間に位置する。それにより、図２２（ｂ）に示すように、受光部３１６ｒは対応する投光部３１６ｔからの光を受光しない。
【０２０２】
上記のようにハンドＨ１，Ｈ２が移動する。それにより、受光部３１６ｒから出力される受光信号に基づいてハンドＨ１により保持される基板Ｗの外周部の複数の部分が検出される。
【０２０３】
その後、図２２（ｃ）に示すように、前進するハンドＨ２により保持された基板Ｗがいずれかの基板支持部ＷＳ上に載置された後、ハンドＨ２が進退基準位置ＦＢＰまで後退する。
【０２０４】
上記のように、本実施の形態では、ハンドＨ１，Ｈ２が互いに逆方向に進退動作することにより、１つのセンサ装置３１６により２つのハンドＨ１，Ｈ２により保持される２枚の基板Ｗの外周部の複数の部分を検出することが可能である。
【０２０５】
（１２）効果
本実施の形態においては、搬送機構１２７等に関する水平方向の教示動作時に、ハンドＨ１がスピンチャック２５等以外の基板支持部ＷＳの仮目標位置に移動され、基板支持部ＷＳの基準位置で支持された基板ＷがハンドＨ１により受け取られる。ここで、ハンドＨ１により保持された基板ＷとハンドＨ１との位置関係が検出される。検出された位置関係に基づいて仮目標位置と基準位置とのずれが補正情報として取得される。
【０２０６】
あるいは、ハンドＨ１がスピンチャック２５等の基板支持部ＷＳの仮目標位置に移動され、基板支持部ＷＳに基板Ｗが渡される。基板支持部ＷＳにより水平姿勢で支持された基板Ｗが基準位置の周りで所定の角度だけ回転される。ハンドＨ１が基板支持部ＷＳの仮目標位置に移動され、基板支持部ＷＳにより支持された基板Ｗが受け取られる。基板支持部ＷＳへ基板Ｗを渡す前におけるハンドＨ１と基板Ｗとの位置関係および基板支持部ＷＳから基板Ｗを受け取った後における位置関係に基づいて仮目標位置と基準位置とのずれが補正情報として取得される。
【０２０７】
教示動作時または基板処理時に、取得された補正情報に基づいて仮目標位置が基準位置に一致するように仮目標位置が真目標位置に補正される。基板処理時に、ハンドＨ１が真目標位置に移動されることにより、ハンドＨ１により基板支持部ＷＳに基板Ｗが渡され、または基板支持部ＷＳから基板Ｗが受け取られる。それにより、基準位置で基板Ｗが支持されるようにハンドＨ１により基板Ｗを基板支持部ＷＳに渡すことができ、または基準位置で支持された基板Ｗを受け取るようにハンドＨ１を基板支持部ＷＳに移動させることができる。
【０２０８】
また、搬送機構１２７等に関する垂直方向の教示動作時に、ハンドＨ１が基板支持部ＷＳにより基準高さで支持された基板Ｗの下方から上昇される。ハンドＨ１が基板Ｗの下面を保持したことが検出される。検出時点におけるハンドＨ１の垂直方向の位置に基づいて垂直方向における目標高さが決定される。基板処理時における基板支持部ＷＳへのハンドＨ１の移動の際に、ハンドＨ１が決定された目標高さに移動されることにより、基板支持部ＷＳに基板Ｗが渡され、または基板支持部ＷＳから基板Ｗが受け取られる。それにより、基準高さで基板Ｗが支持されるようにハンドＨ１により基板Ｗを基板支持部ＷＳに渡すことができ、または基準高さで支持された基板Ｗを受け取るようにハンドＨ１を基板支持部ＷＳに移動させることができる。
【０２０９】
この構成によれば、基板支持部ＷＳにより基準位置で支持された基板ＷをハンドＨ１，Ｈ２が受け取ることにより、搬送機構１１５，１２７，１２８，１３７，１３８，１４１，１４２，１４６に関する教示動作が行われる。これにより、搬送機構１１５，１２７，１２８，１３７，１３８，１４１，１４２，１４６に関する教示を行うための作業者の負担が低減される。この場合、搬送機構１１５，１２７，１２８，１３７，１３８，１４１，１４２，１４６に関する教示を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで搬送機構１１５，１２７，１２８，１３７，１３８，１４１，１４２，１４６に関する教示を行うことができる。
【０２１０】
（１３）他の実施の形態
（ａ）上記実施の形態において、各ハンドＨ１，Ｈ２についての補正情報は、上記の方法により独立に取得されるが、これに限定されない。一方のハンドについての補正情報は上記の方法により取得され、他方のハンドについての補正情報は一方のハンドについての補正情報に基づいて取得されてもよい。
【０２１１】
図２３は、他の実施の形態における他方のハンドの補正情報の取得手順を説明するための図である。図２３（ａ）〜（ｃ）は、搬送機構１２７および基板支持部ＷＳの模式的平面図を示す。ハンドＨ１，Ｈ２は垂直方向に重なるように設けられるが、図２３の例においては、理解を容易にするために、ハンドＨ１，Ｈ２を水平方向に並ぶように図示している。図２３の例では、ハンドＨ１についての補正情報に基づいてハンドＨ２についての補正情報を取得することを考える。
【０２１２】
まず、図２３（ａ）に示すように、搬送機構１２７はハンドＨ１により正規位置に基板Ｗを保持する。ここで、ハンドＨ１における基板Ｗの中心の座標を算出する。算出されたハンドＨ１における基板Ｗの中心の座標は（Ｘ３，Ｙ３）である。次に、図２３（ｂ）に示すように、ハンドＨ１は基板Ｗを基板支持部ＷＳに搬送する。基板支持部ＷＳは、基板Ｗの中心が仮目標位置に一致する状態で基板Ｗを保持する。ここで、ハンドＨ１に対応付けられた基板支持部ＷＳにおける仮目標位置座標を（Ｘｂ３，Ｙｂ３）とする。
【０２１３】
その後、図２３（ｃ）に示すように、ハンドＨ２は基板Ｗを基板支持部ＷＳから取り出す。ここで、ハンドＨ２に対応付けられた基板支持部ＷＳにおける仮目標位置座標を（Ｘｂ４，Ｙｂ４）とする。ハンドＨ１に対応付けられた仮目標位置とハンドＨ２に対応付けられた仮目標位置とは異なるので、図２３（ｃ）において、ハンドＨ２は、正規位置とは異なる位置に基板Ｗを保持することとなる。ここで、ハンドＨ２における基板Ｗの中心の座標を算出する。算出されたハンドＨ２における基板Ｗの中心の座標は（Ｘ４，Ｙ４）である。
【０２１４】
制御部５００は、ハンドＨ１における基板Ｗの中心の座標（Ｘ３，Ｙ３）とハンドＨ２における基板Ｗの中心の座標（Ｘ４，Ｙ４）とのずれを算出する。また、制御部５００は、算出されたずれとハンドＨ１についての補正情報とに基づいて、ハンドＨ２についての補正情報を算出する。ハンドＨ２についての補正情報は、制御部５００のメモリ５２０に記憶される。
【０２１５】
同様の手順により、制御部５００は、ハンドＨ１，Ｈ２の基準高さのずれとハンドＨ１についての目標高さとに基づいて、ハンドＨ２についての目標高さを決定する。決定された目標高さのＺ座標は、制御部５００のメモリ５２０に記憶される。
【０２１６】
（ｂ）上記実施の形態において、搬送機構１１５，１２７，１２８，１３７，１３８，１４１，１４２，１４６の間での基板Ｗの受け渡しは、基板載置部ＰＡＳＳ１〜ＰＡＳＳ９等を介して行われるが、これに限定されない。搬送機構１１５，１２７，１２８，１３７，１３８，１４１，１４２，１４６の間での基板Ｗの受け渡しは、基板載置部を介さずに直接行われてもよい。図２４は、搬送機構間で基板Ｗの受け渡しが直接行われる場合における基準位置を説明するための図である。図２４は、搬送機構１２７，１３７の模式的平面図を示す。搬送機構１２７から搬送機構１３７に基板Ｗが受け渡されることを考える。
【０２１７】
図２４に示すように、搬送機構１２７は、ハンドＨ１により受け渡しが行われるべき領域（以下、受け渡し領域と呼ぶ）Ｖへ基板Ｗを搬送する。その後、搬送機構１２７は、搬送機構１３７に基板Ｗが受け渡されるまで基板Ｗの中心が受け渡し領域Ｖにおける仮目標位置に一致する状態で待機する。
【０２１８】
ここで、搬送機構１２７に対応付けられた受け渡し領域Ｖにおける仮目標位置座標を（Ｘｂ５，Ｙｂ５）とする。この場合、仮目標位置座標（Ｘｂ５，Ｙｂ５）が、搬送機構１３７に対応付けられた受け渡し領域Ｖにおける基準位置座標（Ｘｗ６，Ｙｗ６）とみなされる。すなわち、搬送機構１２７に対応付けられた受け渡し領域Ｖにおける仮目標位置が、搬送機構１３７に対応付けられた受け渡し領域Ｖにおける基準位置とみなされる。
【０２１９】
（ｃ）上記実施の形態において、基板支持部ＷＳが熱処理ユニットＰＨＰに設けられる場合には、搬送機構４３０の複数のガイド部材４３６により導かれた基板Ｗの中心の位置が基準位置となるが、これに限定されない。熱処理ユニットＰＨＰに搬送機構４３０が設けられない場合には、加熱部４２０の複数のガイド部材４２３により導かれた基板Ｗの中心の位置が基準位置となってもよい。
【０２２０】
（ｄ）上記実施の形態において、図２０の教示動作時に基板Ｗがスピンチャック２５により１８０°回転されるが、これに限定されない。図２０の教示動作時に基板Ｗがスピンチャック２５により任意の角度だけ回転されてもよい。この場合、幾何学的な演算により、基板Ｗの回転前の中心の位置と基板Ｗの回転後の中心の位置とに基づいて、仮目標位置座標に対する基準位置座標のずれを算出することができる。
【０２２１】
（１４）請求項の各構成要素と実施の形態の各要素との対応関係
以下、請求項の各構成要素と実施の形態の各要素との対応の例について説明するが、本発明は下記の例に限定されない。
【０２２２】
上記実施の形態では、基板Ｗが基板の例であり、基板処理装置１００が基板処理装置の例であり、ハンドＨ１，Ｈ２が第１および第２の保持部の例または保持部の例である。基板支持部ＷＳ、ケーシング部１１３ａ、支持ピンｓｐ、搬送アーム４３４、保持ピン６２４、スピンチャック２５，３５，９８、またはハンドＨ１，Ｈ２が基板支持部の例である。
【０２２３】
搬送機構１１５，１２７，１２８，１３７，１３８，１４１，１４２，１４６が第１および第２の搬送装置の例または搬送装置の例であり、センサ装置３１６が位置検出部の例であり、制御部５００が制御部の例である。ケーシング部１１３ａおよび蓋部１１３ｂ、ガイド部材４３６または保持ピン６２４が案内機構の例であり、キャリア１１３が収納容器の例であり、基板載置部ＰＡＳＳ１〜ＰＡＳＳ９が基板載置部の例である。吸着部ｓｍが保持検出部または吸着部の例であり、冷却ユニットＣＰ、熱処理ユニットＰＨＰ、密着強化処理ユニットＰＡＨＰ、載置兼冷却部Ｐ−ＣＰまたは洗浄乾燥処理ユニットＳＤ１，ＳＤ２が処理ユニットの例である。
【０２２４】
請求項の各構成要素として、請求項に記載されている構成または機能を有する他の種々の要素を用いることもできる。
（１５）参考形態
（１）第１の参考形態に係る基板処理装置は、基板に処理を行う基板処理装置であって、予め設定された基準位置を有し、基板を支持可能に構成される基板支持部と、基板を保持するように構成された第１の保持部を有し、第１の保持部を移動させることにより基板を搬送する第１の搬送装置と、第１の保持部により保持された基板と第１の保持部との位置関係を検出する位置検出部と、第１の保持部を移動させて基板支持部に基板を渡しまたは基板支持部から基板を受け取るように第１の搬送装置を制御する制御部とを備え、制御部は、第１の搬送装置に関する教示動作時に、第１の保持部を基板支持部の目標位置に移動させて基板支持部の基準位置で支持された基板を受け取るように第１の搬送装置を制御し、位置検出部により検出される位置関係に基づいて目標位置と基準位置とのずれを補正情報として取得し、教示動作時または基板処理時に、取得された補正情報に基づいて目標位置が基準位置に一致するように目標位置を補正し、基板処理時に、第１の保持部を補正された目標位置に移動させるように第１の搬送装置を制御する。
この基板処理装置においては、第１の搬送装置に関する教示動作時に、第１の搬送装置の第１の保持部が基板支持部の目標位置に移動され、基板支持部の基準位置で支持された基板が第１の保持部により受け取られる。ここで、第１の保持部により保持された基板と第１の保持部との位置関係が検出される。検出された位置関係に基づいて目標位置と基準位置とのずれが補正情報として取得される。
教示動作時または基板処理時に、取得された補正情報に基づいて目標位置が基準位置に一致するように目標位置が補正される。基板処理時に、第１の保持部が補正された目標位置に移動されることにより、第１の保持部により基板支持部に基板が渡され、または基板支持部から基板が受け取られる。それにより、基準位置で基板が支持されるように第１の保持部により基板を基板支持部に渡すことができ、または基準位置で支持された基板を受け取るように第１の保持部を基板支持部に移動させることができる。
この構成によれば、基板支持部により基準位置で支持された基板を第１の搬送装置の第１の保持部が受け取ることにより、第１の搬送装置に関する教示動作が行われる。これにより、第１の搬送装置に関する教示を行うための作業者の負担が低減される。この場合、第１の搬送装置に関する教示を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで第１の搬送装置に関する教示を行うことができる。
（２）基板支持部は、基板を基準位置に導く案内機構を含み、教示動作時に、案内機構により基板が基板支持部の基準位置に導かれてもよい。
この場合、基板が案内機構により基準位置に導かれる。これにより、教示動作時に、作業者が基板を基準位置に位置決めする作業が不要となる。したがって、作業者の負担がより低減される。また、基板処理時においても、基板が案内機構により基板支持部の基準位置に正確に位置決めされる。
（３）基板処理装置は、基板を収納する収納容器をさらに備え、収納容器は、基板支持部を含み、基板を案内機構により基準位置に収納するように構成され、目標位置は、収納容器内に設定され、制御部は、教示動作時に、第１の保持部を収納容器内の目標位置に移動させて収納容器内の基準位置に収納された基板を受け取るように第１の搬送装置を制御してもよい。
この場合、基板は、案内機構により収納容器内の基準位置に収納される。これにより、教示動作時に、作業者が基板を基準位置に位置決めする作業が不要となる。したがって、作業者の負担がより低減される。
（４）基板処理装置は、基板に処理を行う処理ユニットをさらに備え、処理ユニットは基板支持部を含み、目標位置は、処理ユニット内に設定され、制御部は、教示動作時に、第１の保持部を処理ユニット内の目標位置に移動させて処理ユニット内において案内機構により基準位置で支持された基板を受け取るように第１の搬送装置を制御してもよい。
この場合、基板は、処理ユニット内において、案内機構により基準位置で支持される。また、作業者が基板を基準位置に位置決めする作業が不要となる。したがって、作業者の負担がより低減される。
（５）基板処理装置は、基板支持部を含み、基板が一時的に載置される基板載置部と、基板を保持するように構成された第２の保持部を有し、第２の保持部を移動させることにより基板を搬送する第２の搬送装置とをさらに備え、目標位置は、基板載置部上に設定され、制御部は、教示動作時に、第２の保持部を基板載置部の基板支持部に移動させて基板支持部に基板を載置するように第２の搬送装置を制御し、基板支持部に載置される基板の位置を基準位置とみなし、第１の保持部を基板載置部上の目標位置に移動させて基板支持部に載置された基板を受け取るように第１の搬送装置を制御してもよい。
この場合、基板載置部を介して第１の搬送装置の第１の保持部と第２の搬送装置の第２の保持部との間で基板が受け渡される。ここで、第２の保持部により基板載置部に載置された基板の位置が基準位置とみなされる。これにより、作業者が基板を基準位置に位置決めする作業が不要となる。したがって、作業者の負担がより低減される。
（６）基板処理装置は、基板を保持するように構成された第２の保持部を基板支持部として有し、第２の保持部を移動させることにより基板を搬送する第２の搬送装置をさらに備え、目標位置は、第１の搬送装置と第２の搬送装置との間での基板の受け渡し時の第２の保持部に設定され、制御部は、教示動作時に、第２の保持部に保持される基板の位置を基準位置とみなし、第１の保持部を第２の保持部の目標位置に移動させて第２の保持部から基板を受け取るように第１の搬送装置を制御してもよい。
この場合、第１の搬送装置の第１の保持部と第２の搬送装置の第２の保持部との間で基板が受け渡される。ここで、第２の保持部に保持された基板の位置が基準位置とみなされる。これにより、作業者が基板を基準位置に位置決めする作業が不要となる。したがって、作業者の負担がより低減される。
（７）第２の参考形態に係る基板処理装置は、基板に処理を行う基板処理装置であって、予め設定された基準位置を有し、基板を水平姿勢で保持して基準位置の周りで回転可能に構成される基板支持部と、基板を保持するように構成された第１の保持部を有し、第１の保持部を移動させることにより基板を搬送する第１の搬送装置と、第１の保持部により保持された基板と第１の保持部との位置関係を検出する位置検出部と、第１の保持部を移動させて基板支持部に基板を渡しまたは基板支持部から基板を受け取るように第１の搬送装置を制御する制御部とを備え、制御部は、第１の搬送装置に関する教示動作時に、第１の保持部を基板支持部の目標位置に移動させて基板支持部に基板を渡すように第１の搬送装置を制御し、基板支持部により支持された基板が所定の角度だけ回転されるように基板支持部を制御し、第１の保持部を基板支持部の目標位置に移動させて基板支持部により支持された基板を受け取るように第１の搬送装置を制御し、基板支持部へ基板を渡す前における第１の保持部と基板との位置関係および基板支持部から基板を受け取った後において位置検出部により検出された位置関係に基づいて目標位置と基準位置とのずれを補正情報として取得し、教示動作時または基板処理時に、取得された補正情報に基づいて目標位置が基準位置に一致するように目標位置を補正し、基板処理時に、第１の保持部を補正された目標位置に移動させるように第１の搬送装置を制御する。
この基板処理装置においては、第１の搬送装置に関する教示動作時に、第１の搬送装置の第１の保持部により保持された基板と第１の保持部との位置関係が検出される。第１の搬送装置の第１の保持部が基板支持部の目標位置に移動され、基板支持部に基板が渡される。基板支持部により水平姿勢で支持された基板が基準位置の周りで所定の角度だけ回転される。第１の保持部が基板支持部の目標位置に移動され、基板支持部により支持された基板が第１の保持部により受け取られて保持される。その後、第１の保持部により保持された基板と第１の保持部との位置関係が検出される。基板支持部へ基板を渡す前における第１の保持部と基板との位置関係および基板支持部から基板を受け取った後における位置関係に基づいて目標位置と基準位置とのずれが補正情報として取得される。
教示動作時または基板処理時に、取得された補正情報に基づいて目標位置が基準位置に一致するように目標位置が補正される。基板処理時に、第１の保持部が補正された目標位置に移動されることにより、第１の保持部により基板支持部に基板が渡され、または基板支持部から基板が受け取られる。それにより、基準位置で基板が支持されるように第１の保持部により基板を基板支持部に渡すことができ、または基準位置で支持された基板を受け取るように第１の保持部を基板支持部に移動させることができる。
この構成によれば、第１の搬送装置の第１の保持部が基板支持部に基板を渡して回転後の基板を受け取ることにより、第１の搬送装置に関する教示動作が行われる。これにより、第１の搬送装置に関する教示を行うための作業者の負担が低減される。この場合、第１の搬送装置に関する教示を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで第１の搬送装置に関する教示を行うことができる。
（８）所定の角度は１８０度であってもよい。この場合、基板支持部へ基板を渡す前における第１の保持部と基板との位置関係および基板支持部から基板を受け取った後における位置関係に基づいて補正情報を容易に取得することができる。
（９）基板処理装置は、第１の保持部が基板の下面を保持したことを検出する保持検出部をさらに備え、制御部は、教示動作時に、第１の保持部を基板支持部により基準高さで支持された基板の下方から上昇させるように第１の搬送装置を制御し、保持検出部による検出時点における第１の保持部の垂直方向の位置に基づいて垂直方向における目標高さを決定し、基板処理時における基板支持部への第１の保持部の移動の際に、第１の保持部を決定された目標高さに移動させるように第１の搬送装置を制御してもよい。
この場合、第１の搬送装置の第１の保持部が基板支持部により支持される基板を受け取ることにより、第１の搬送装置に関する垂直方向の教示動作が行われる。これにより、第１の搬送装置に関する垂直方向の教示を行うための作業者の負担が低減される。したがって、第１の搬送装置に関する教示動作を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで第１の搬送装置に関する垂直方向の教示を行うことができる。
（１０）第１の搬送装置は、第１の保持部を複数有し、制御部は、教示動作時に、基板支持部を介して一の第１の保持部と他の第１の保持部との間で基板が搬送されるように第１の搬送装置を制御し、一の第１の保持部と基板との位置関係、他の第１の保持部と基板との位置関係および一の第１の保持部に対応する補正情報に基づいて、他の第１の保持部に対応する目標位置と基準位置とのずれを他の第１の保持部に対応する補正情報として取得し、教示動作時または基板処理時に、取得された他の第１の保持部に対応する補正情報に基づいて他の第１の保持部に対応する目標位置が基準位置に一致するように他の第１の保持部に対応する目標位置を補正し、基板処理時に、他の第１の保持部を補正された他の第１の保持部に対応する目標位置に移動させるように第１の搬送装置を制御してもよい。
この場合、第１の搬送装置の一の第１の保持部に対応する補正情報に基づいて、他の第１の保持部に対応する補正情報を容易に取得することができる。
（１１）第３の参考形態に係る基板処理装置は、基板に処理を行う基板処理装置であって、基板を支持可能に構成される基板支持部と、基板を保持するように構成された保持部を有し、保持部を移動させることにより基板を搬送する搬送装置と、保持部が基板の下面を保持したことを検出する保持検出部と、保持部を移動させて基板支持部に基板を渡しまたは基板支持部から基板を受け取るように搬送装置を制御する制御部とを備え、制御部は、搬送装置に関する教示動作時に、保持部を基板支持部により基準高さで支持された基板の下方から上昇させるように搬送装置を制御し、保持検出部による検出時点における保持部の垂直方向の位置に基づいて垂直方向における目標高さを決定し、基板処理時における基板支持部への保持部の移動の際に、保持部を決定された目標高さに移動させるように搬送装置を制御する。
この基板処理装置においては、搬送装置に関する教示動作時に、搬送装置の保持部が基板支持部により基準高さで支持された基板の下方から上昇される。保持部が基板の下面を保持したことが検出される。検出時点における保持部の垂直方向の位置に基づいて垂直方向における目標高さが決定される。基板処理時における基板支持部への保持部の移動の際に、保持部が決定された目標高さに移動されることにより、基板支持部に基板が渡され、または基板支持部から基板が受け取られる。それにより、基準高さで基板が支持されるように保持部により基板を基板支持部に渡すことができ、または基準高さで支持された基板を受け取るように保持部を基板支持部に移動させることができる。
この構成によれば、搬送装置の保持部が基板支持部により支持される基板を受け取ることにより、搬送装置に関する垂直方向の教示動作が行われる。これにより、搬送装置に関する垂直方向の教示を行うための作業者の負担が低減される。この場合、搬送装置に関する教示動作を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで搬送装置に関する垂直方向の教示を行うことができる。
（１２）保持部は、基板の下面を吸着する吸着部を含み、保持検出部は、吸着部により基板が吸着されているか否かに基づいて保持部が基板の下面を保持したことを検出するように構成されてもよい。
この場合、簡単な構成で保持部が基板の下面を保持したことを検出することができる。また、保持部は基板を確実に保持することができる。
（１３）第４の参考形態に係る基板処理方法は、基板に処理を行う基板処理方法であって、第１の搬送装置に関する教示動作時に、第１の搬送装置の第１の保持部を基板支持部の目標位置に移動させて基板支持部の基準位置で支持された基板を受け取るステップと、第１の保持部により保持された基板と第１の保持部との位置関係を検出するステップと、検出された位置関係に基づいて目標位置と基準位置とのずれを補正情報として取得するステップと、教示動作時または基板処理時に、取得された補正情報に基づいて目標位置が基準位置に一致するように目標位置を補正するステップと、基板処理時に、第１の保持部を補正された目標位置に移動させることにより、基板支持部に基板を渡しまたは基板支持部から基板を受け取るステップとを含む。
この基板処理方法によれば、第１の搬送装置に関する教示動作時に、第１の搬送装置の第１の保持部が基板支持部の目標位置に移動され、基板支持部の基準位置で支持された基板が第１の保持部により受け取られる。ここで、第１の保持部により保持された基板と第１の保持部との位置関係が検出される。検出された位置関係に基づいて目標位置と基準位置とのずれが補正情報として取得される。
教示動作時または基板処理時に、取得された補正情報に基づいて目標位置が基準位置に一致するように目標位置が補正される。基板処理時に、第１の保持部が補正された目標位置に移動されることにより、第１の保持部により基板支持部に基板が渡され、または基板支持部から基板が受け取られる。それにより、基準位置で基板が支持されるように第１の保持部により基板を基板支持部に渡すことができ、または基準位置で支持された基板を受け取るように第１の保持部を基板支持部に移動させることができる。
この構成によれば、基板支持部により基準位置で支持された基板を第１の搬送装置の第１の保持部が受け取ることにより、第１の搬送装置に関する教示動作が行われる。これにより、第１の搬送装置に関する教示を行うための作業者の負担が低減される。この場合、第１の搬送装置に関する教示を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで第１の搬送装置に関する教示を行うことができる。
（１４）第５の参考形態に係る基板処理方法は、基板に処理を行う基板処理方法であって、第１の搬送装置に関する教示動作時に、第１の搬送装置の第１の保持部により保持された基板と第１の保持部との位置関係を検出するステップと、第１の保持部を基板支持部の目標位置に移動させて基板支持部に基板を渡すステップと、基板支持部により水平姿勢で支持された基板を基準位置の周りで所定の角度だけ回転させるステップと、第１の保持部を基板支持部の目標位置に移動させて基板支持部により支持された基板を受け取るステップと、基板支持部から受け取り、第１の保持部により保持された基板と第１の保持部との位置関係を検出するステップと、基板支持部へ基板を渡す前における第１の保持部と基板との位置関係および基板支持部から基板を受け取った後における位置関係に基づいて目標位置と基準位置とのずれを補正情報として取得するステップと、教示動作時または基板処理時に、取得された補正情報に基づいて目標位置が基準位置に一致するように目標位置を補正するステップと、基板処理時に、第１の保持部を補正された目標位置に移動させることにより、基板支持部に基板を渡しまたは基板支持部から基板を受け取るステップとを含む。
この基板処理方法によれば、第１の搬送装置に関する教示動作時に、第１の搬送装置の第１の保持部により保持された基板と第１の保持部との位置関係が検出される。第１の搬送装置の第１の保持部が基板支持部の目標位置に移動され、基板支持部に基板が渡される。基板支持部により水平姿勢で支持された基板が基準位置の周りで所定の角度だけ回転される。第１の保持部が基板支持部の目標位置に移動され、基板支持部により支持された基板が第１の保持部により受け取られて保持される。その後、第１の保持部により保持された基板と第１の保持部との位置関係が検出される。基板支持部へ基板を渡す前における第１の保持部と基板との位置関係および基板支持部から基板を受け取った後における位置関係に基づいて目標位置と基準位置とのずれが補正情報として取得される。
教示動作時または基板処理時に、取得された補正情報に基づいて目標位置が基準位置に一致するように目標位置が補正される。基板処理時に、第１の保持部が補正された目標位置に移動されることにより、第１の保持部により基板支持部に基板が渡され、または基板支持部から基板が受け取られる。それにより、基準位置で基板が支持されるように第１の保持部により基板を基板支持部に渡すことができ、または基準位置で支持された基板を受け取るように第１の保持部を基板支持部に移動させることができる。
この構成によれば、第１の搬送装置の第１の保持部が基板支持部に基板を渡して回転後の基板を受け取ることにより、第１の搬送装置に関する教示動作が行われる。これにより、第１の搬送装置に関する教示を行うための作業者の負担が低減される。この場合、第１の搬送装置に関する教示を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで第１の搬送装置に関する教示を行うことができる。
（１５）第６の参考形態に係る基板処理方法は、基板に処理を行う基板処理方法であって、搬送装置に関する教示動作時に、搬送装置の保持部を基板支持部により基準高さで支持された基板の下方から上昇させるステップと、保持部が基板の下面を保持したことを検出するステップと、検出時点における保持部の垂直方向の位置に基づいて垂直方向における目標高さを決定するステップと、基板処理時における基板支持部への保持部の移動の際に、保持部を決定された目標高さに移動させることにより、基板支持部に基板を渡しまたは基板支持部から基板を受け取るステップとを含む。
この基板処理方法によれば、搬送装置に関する教示動作時に、搬送装置の保持部が基板支持部により基準高さで支持された基板の下方から上昇される。保持部が基板の下面を保持したことが検出される。検出時点における保持部の垂直方向の位置に基づいて垂直方向における目標高さが決定される。基板処理時における基板支持部への保持部の移動の際に、保持部が決定された目標高さに移動されることにより、基板支持部に基板が渡され、または基板支持部から基板が受け取られる。それにより、基準高さで基板が支持されるように保持部により基板を基板支持部に渡すことができ、または基準高さで支持された基板を受け取るように保持部を基板支持部に移動させることができる。
この構成によれば、搬送装置の保持部が基板支持部により支持される基板を受け取ることにより、搬送装置に関する垂直方向の教示動作が行われる。これにより、搬送装置に関する垂直方向の教示を行うための作業者の負担が低減される。この場合、搬送装置に関する教示動作を行うために専用の治具を用意する必要がない。そのため、治具の維持管理のための作業者の負担が発生せず、治具の購入および治具の維持管理に伴うコストも発生しない。これらの結果、作業者の負担を低減しつつ低コストで搬送装置に関する垂直方向の教示を行うことができる。
【産業上の利用可能性】
【０２２５】
本発明は、種々の基板の処理に有効に利用することができる。
【符号の説明】
【０２２６】
１１  インデクサブロック
１２  第１の処理ブロック
１３  第２の処理ブロック
１４  インターフェースブロック
１４Ａ  洗浄乾燥処理ブロック
１４Ｂ  搬入搬出ブロック
１５  露光装置
１５ａ  基板搬入部
１５ｂ  基板搬出部
２１〜２４，３１〜３４  塗布処理室
２５，３５，９８，６１０  スピンチャック
２７，３７  カップ
２８  処理液ノズル
２９  ノズル搬送機構
３８  現像ノズル
３９  移動機構
５０，６０  流体ボックス部
９９  光出射器
１００  基板処理装置
１１１  キャリア載置部
１１２，１２２，１３２，１６３  搬送部
１１３  キャリア
１１４，５００  制御部
１１５，１２７，１２８，１３７，１３８，１４１，１４２，１４６，４３０  搬送機構
１１６，Ｈ１，Ｈ２  ハンド
１２１  塗布処理部
１２３，１３３  熱処理部
１２５，１３５  上段搬送室
１２６，１３６  下段搬送室
１２９  塗布処理ユニット
１３１  現像処理部
１３９  現像処理ユニット
１６１，１６２  洗浄乾燥処理部
３０１，３０３  上段熱処理部
３０２，３０４  下段熱処理部
３１１〜３１３，４３１〜４３３  ガイドレール
３１４  移動部材
３１５  回転部材
３１６  センサ装置
３１６ａ  投光部保持ケーシング
３１６ｂ  受光部保持ケーシング
３１６Ｄ  検出器
３１６ｒ  受光部
３１６ｔ  投光部
４１０  冷却部
４１１，４２１  基板載置プレート
４１２，４２２，ｓｐ  支持ピン
４２０  加熱部
４２３，４３６  ガイド部材
４３４  搬送アーム
４３５  切り込み
５１０  ＣＰＵ
５２０  メモリ
６１０ａ  液供給管
６１１  スピンモータ
６１１ａ，６２２  回転軸
６１２  スピンプレート
６１３  プレート支持部材
６１４ａ，６１４ｂ  マグネットプレート
６１５  チャックピン
６１５ａ  軸部
６１５ｂ  ピン支持部
６１５ｃ  保持部
６１６  マグネット
６２０  基板受け渡し機構
６２１  昇降回転駆動部
６２３  アーム
６２４  保持ピン
６３０  洗浄ブラシ
６３１  ブラシ保持部材
６３３  洗浄ノズル
６３５  溝
ａｒ  円弧
ＣＰ  冷却ユニット
ＥＥＷ  エッジ露光部
ＦＢＰ  進退基準位置
Ｈａ  ガイド部
Ｈｂ  アーム部
ＰＡＨＰ  密着強化処理ユニット
ＰＡＳＳ１〜ＰＡＳＳ９  基板載置部
Ｐ−ＢＦ１，Ｐ−ＢＦ２  載置兼バッファ部
Ｐ−ＣＰ  載置兼冷却部
ＰＨＰ  熱処理ユニット
ＰＮ  メインパネル
ｐｒ  突出部
ＳＤ１，ＳＤ２  洗浄乾燥処理ユニット
ｓｍ  吸着部
Ｖ  受け渡し領域
Ｗ  基板
ＷＳ  基板支持部
【図１】
0006422695.tif 000002
【図２】
0006422695.tif 000003
【図３】
0006422695.tif 000004
【図４】
0006422695.tif 000005
【図５】
0006422695.tif 000006
【図６】
0006422695.tif 000007
【図７】
0006422695.tif 000008
【図８】
0006422695.tif 000009
【図９】
0006422695.tif 000010
【図１０】
0006422695.tif 000011
【図１１】
0006422695.tif 000012
【図１２】
0006422695.tif 000013
【図１３】
0006422695.tif 000014
【図１４】
0006422695.tif 000015
【図１５】
0006422695.tif 000016
【図１６】
0006422695.tif 000017
【図１７】
0006422695.tif 000018
【図１８】
0006422695.tif 000019
【図１９】
0006422695.tif 000020
【図２０】
0006422695.tif 000021
【図２１】
0006422695.tif 000022
【図２２】
0006422695.tif 000023
【図２３】
0006422695.tif 000024
【図２４】
0006422695.tif 000025